(57)【特許請求の範囲】
【請求項１】
店舗内に設置され、被写体を撮影する撮影装置と、前記撮影装置により撮影された画像をＩＤとともに記憶するサーバと、プリント装置とからなる写真撮影システムであって、
前記撮影装置は、
撮影のための対価を受領する撮影対価受領手段と、
前記撮影対価受領手段による対価の受領により、被写体を複数回撮影する撮影手段と、
前記撮影手段による複数回の撮影により撮影された複数の画像に対応し、前記複数の画像を特定することができるＩＤを情報記録媒体に記録する記録手段とを備え、
前記プリント装置は、
前記記録手段により記録された情報記録媒体の前記複数の画像を特定することができるＩＤを受付ける受付手段と、
プリントのための対価を受領するプリント対価受領手段と、
前記撮影装置により撮影された画像に合成すべき画像を入力する画像入力手段と、
前記プリント対価受領手段による対価の受領により、前記撮影装置により撮影された画像を印刷媒体にプリントするプリント手段とを備え、
前記撮影装置と前記プリント装置とは異なる場所に設置され、
前記プリント装置は、前記サーバを介して前記撮影装置により撮影された複数の画像を取得し、
前記プリント手段は、前記受付手段により受付けられたＩＤに基づいて、画像が前記サーバにあれば、前記プリント対価受領手段で対価を受領し、対応する画像をプリントし、画像が前記サーバになければその旨表示を行う、写真撮影システム。
【請求項２】
前記情報記録媒体は磁気カードであり、
前記プリント装置は、前記磁気カードが挿入されたときに、前記磁気カードをチェックし、エラーがなく、かつ画像が前記サーバ上にあれば対価を受付ける、請求項１に記載の写真撮影システム。
【請求項３】
所定の対価の投入があれば、前記磁気カードを回収する、請求項２に記載の写真撮影システム。
【請求項４】
前記プリント装置は、ユーザからＩＤ情報を入力する入力手段をさらに備え、
前記プリント手段は、前記入力手段に入力されたＩＤに基づいて対応する画像をプリントする、請求項１〜３のいずれかに記載の写真撮影システム。
【請求項５】
前記プリント手段は、複数設けられることを特徴とする、請求項１〜４のいずれかに記載の写真撮影システム。
【請求項６】
前記撮影装置および前記プリント装置の少なくとも一方は、外部メディアから画像を読取る手段をさらに備える、請求項１〜５のいずれかに記載の写真撮影システム。
【請求項７】
前記撮影装置と前記プリント装置とを異なる場所に設置することができるように、前記撮影装置と前記プリント装置とが別ユニットとして構成されており、
前記撮影装置と前記プリント装置との電源の操作を、離れた位置から行なえることを特徴とした、請求項１〜６のいずれかに記載の写真撮影システム。
【請求項８】
転送するデータのサイズを検出する検出手段と、
前記転送するデータのファイル名に、前記検出されたデータのサイズを付加する付加手段と、
前記データのサイズがファイル名として付加されたデータを外部に転送する転送手段とを備えた、請求項１〜７のいずれかに記載の写真撮影システム。
【請求項９】
前記撮影装置と前記プリント装置とを異なる場所に設置することができるように、前記撮影装置と前記プリント装置とが別ユニットとして構成されており、
ネットワークに接続されているシステムの各機器の状況を１箇所で確認するための情報を表示するディスプレイ装置を備え、
ユーザが前記撮影装置および前記プリント装置の状況を前記ディスプレイ装置により１箇所で確認することができるように構成されていることを特徴とする、請求項１〜８のいずれかに記載の写真撮影システム。
【請求項１０】
前記ディスプレイ装置はサーバに接続され、
各機器から通知された情報に基づいて、前記ディスプレイ装置は各機器の状況を確認するための情報を表示する、請求項９に記載の写真撮影システム。
【請求項１１】
前記各機器から通知される情報は、前記各機器で異常が発生したときに通知されるエラー情報である、請求項１０に記載の写真撮影システム。
【請求項１２】
前記ディスプレイ装置は、前記エラー情報をコードで表示する、請求項１１に記載の写真撮影システム。
【請求項１３】
前記サーバは、前記通知された情報を蓄積し、
前記ディスプレイ装置は、前記蓄積された情報に基づいて履歴表示を行なう、請求項１０〜１２のいずれかに記載の写真撮影システム。
【請求項１４】
店舗内に設置され、被写体を撮影する撮影装置と、前記撮影装置により撮影された画像をＩＤとともに記憶するサーバと、プリント装置とからなり、前記撮影装置と前記プリント装置とは異なる場所に設置された写真撮影システムを制御するための制御方法であって、
前記撮影装置において、撮影のための対価を受領する撮影対価受領ステップと、
前記撮影対価受領ステップによる対価の受領により、被写体を複数回撮影し、前記撮影装置による複数回の撮影により撮影された複数の画像に対応し、前記複数の画像を特定することができるＩＤを情報記録媒体に記録する撮影ステップと、
前記プリント装置において、前記撮影ステップにおいて記録された情報記録媒体の前記複数の画像を特定することができるＩＤを受付け、受付けられたＩＤに基づいて、画像が前記サーバにあれば、プリントのための対価を受領し、画像が前記サーバになければその旨表示を行う、プリント対価受領ステップと、
前記プリント対価受領ステップによる対価の受領により、前記撮影ステップにより撮影された画像に合成すべき画像を入力し、前記撮影ステップにより撮影された画像を印刷媒体にプリントするプリントステップとを備え、
前記プリントステップでは、前記サーバを介して前記撮影装置により撮影された画像を取得し、プリントを行なう、写真撮影システムの制御方法。
【請求項１５】
店舗内に設置され、被写体を撮影する撮影装置と、前記撮影装置により撮影された画像をＩＤとともに記憶するサーバと、プリント装置とからなり、前記撮影装置と前記プリント装置とは異なる場所に設置された写真撮影システムを制御するための制御プログラムであって、
前記撮影装置において、撮影のための対価を受領する撮影対価受領ステップと、
前記撮影対価受領ステップによる対価の受領により、被写体を複数回撮影し、前記撮影装置による複数回の撮影により撮影された複数の画像に対応し、前記複数の画像を特定することができるＩＤを情報記録媒体に記録する撮影ステップと、
前記プリント装置において、前記撮影ステップにおいて記録された情報記録媒体の前記複数の画像を特定することができるＩＤを受付け、受付けられたＩＤに基づいて、画像が前記サーバにあれば、プリントのための対価を受領し、画像が前記サーバになければその旨表示を行う、プリント対価受領ステップと、
前記プリント対価受領ステップによる対価の受領により、前記撮影ステップにより撮影された画像に合成すべき画像を入力し、前記撮影ステップにより撮影された画像を印刷媒体にプリントするプリントステップとをコンピュータに実行させ、前記プリントステップでは、前記サーバを介して前記撮影装置により撮影された画像を取得し、プリントを行なう、写真撮影システムの制御プログラム。
【発明の詳細な説明】
【０００１】
【発明の属する技術分野】
この発明は、写真撮影システム、写真撮影システムの制御方法および写真撮影システムの制御プログラムに関し、特に撮影装置とプリント装置とが別の場所に設置される写真撮影システム、写真撮影システムの制御方法および写真撮影システムの制御プログラムに関する。
【０００２】
【従来の技術】
従来より、写真を撮影し、シールなどにプリントする写真自動販売機が知られている。
【０００３】
【発明が解決しようとする課題】
従来の写真自動販売機においては、写真をその場でプリントできるものの、遊戯のバリエーションが少ないという問題があった。
【０００４】
この発明は上述の問題点を解決するためになされたものであり、遊戯のバリエーションの広い写真撮影システム、写真撮影システムの制御方法および写真撮影システムの制御プログラムを提供することを目的としている。
【０００５】
【課題を解決するための手段】
上記目的を達成するためこの発明のある局面に従うと、写真撮影システムは、店舗内に設置され、被写体を撮影する撮影装置と、撮影装置により撮影された画像をＩＤとともに記憶するサーバと、プリント装置とからなり、撮影装置は、撮影のための対価を受領する撮影対価受領手段と、撮影対価受領手段による対価の受領により、被写体を複数回撮影する撮影手段と、撮影手段による複数回の撮影により撮影された複数の画像に対応し、複数の画像を特定することができるＩＤを情報記録媒体に記録する記録手段とを備え、プリント装置は、記録手段により記録された情報記録媒体の複数の画像を特定することができるＩＤを受付ける受付手段と、プリントのための対価を受領するプリント対価受領手段と、撮影装置により撮影された画像に合成すべき画像を入力する画像入力手段と、プリント対価受領手段による対価の受領により、撮影装置により撮影された画像を印刷媒体にプリントするプリント手段とを備える。撮影装置とプリント装置とは異なる場所に設置され、プリント装置は、サーバを介して撮影装置により撮影された複数の画像を取得し、プリント手段は、受付手段により受付けられたＩＤに基づいて、画像がサーバにあれば、プリント対価受領手段で対価を受領し、対応する画像をプリントし、画像がサーバになければその旨表示を行う。
この発明に従うと、撮影対価受領手段により撮影のための対価が受領され、プリント対価受領手段によりプリントのための対価が受領される。これにより、ユーザは撮影のための対価とプリントのための対価とを分けて支払うことができるため、撮影およびプリントのどちらか一方のサービスのみを受けることが可能である。これにより、たとえば撮影に失敗した場合などにおいては、ユーザはプリントのための対価を支払わずに済むため、経済的である。
また、撮影のための対価を撮影対価受領手段により受領するため、ユーザによる不必要な撮影（たとえば１人のユーザが大量の写真を撮影するなど）を防ぐことができる。
また、撮影装置とプリント装置とを異なる場所に設置することにより、撮影を終えたユーザが撮影装置内で長時間留まることがなくなる。これにより、顧客の回転率を向上させることができる。また、撮影装置とプリント装置とを別ユニットとすることができるため、一方の装置のみを販売／購入したり、新しいものに取り替えることができるため、便利である。
また、写真撮影システムにサーバを設け、プリント装置がサーバを介して画像を取得するように構成すると、大量の画像をサーバに蓄積することができ、写真撮影システムの操作性を向上させることができる。
また、情報記録媒体にＩＤを書込み、それを用いて画像のプリントを行なうことで、ユーザは自分が撮影した画像を間違いなく取得することができる。また、ユーザは情報記録媒体を持つことで、撮影から時間を置いてプリントを行なうことができる。また、撮影順にプリントを行なう必要がなくなるため、ユーザは時間を気にせずに写真の撮影／プリントを行なうことができ、便利である。
さらに画像入力手段を備えることで、ユーザは自己の好みの画像を入力することができ、遊戯のバリエーションが広がる。
好ましくは、情報記録媒体は磁気カードであり、プリント装置は、磁気カードが挿入されたときに、磁気カードをチェックし、エラーがなく、かつ画像がサーバ上にあれば対価を受付ける。
好ましくは写真撮影システムは、所定の対価の投入があれば、磁気カードを回収する。
好ましくはプリント装置は、ユーザからＩＤ情報を入力する入力手段をさらに備え、プリント手段は、入力手段に入力されたＩＤに基づいて対応する画像をプリントする。
このようにユーザからＩＤ情報を入力するように構成すると、上述の情報記録媒体の場合と同様にユーザは自己の画像を間違いなく、好きな時間にプリントすることができる。また、ユーザは情報記録媒体などを所持しなくてもよいため、便利である。
好ましくはプリント手段は複数設けられる。
このように、プリント手段を複数設けると、たとえばユーザが自己の好みに応じたプリント手段を選択したり、カメラの特性に合ったプリント手段を用いたり、１つのプリント手段が故障した状態（または消耗品がなくなった状態）となったときに、他のプリント手段を動作させたりすることができるため、撮影システムの使い勝手を向上させることができる。
好ましくは撮影装置およびプリント装置の少なくとも一方は、外部メディアから画像を読取る手段をさらに備える。
このように外部メディアから画像を読取る手段をさらに備えることで、ユーザは写真撮影システムに外部からの画像を入力することができるため、遊戯のバリエーションが広がる。
好ましくは写真撮影システムは、撮影装置とプリント装置とを異なる場所に設置することができるように、撮影装置とプリント装置とが別ユニットとして構成されており、撮影装置とプリント装置との電源の操作を、離れた位置から行なえることを特徴とする。
この発明に従うと、撮影装置とプリント装置との電源の操作を離れた位置から行なうことができるため、システム全体の終了を容易に行なうことができる。
好ましくは写真撮影システムは、転送するデータのサイズを検出する検出手段と、転送するデータのファイル名に検出されたデータのサイズを付加する付加手段と、データのサイズがファイル名として付加されたデータを外部に転送する転送手段とを備える。
この発明に従うと、ファイルの転送の確認を容易に行なうことができるという効果がある。
好ましくは写真撮影システムは、撮影装置とプリント装置とを異なる場所に設置することができるように、撮影装置とプリント装置とが別ユニットとして構成されており、ネットワークに接続されているシステムの各機器の状況を１箇所で確認するための情報を表示するディスプレイ装置を備え、ユーザが撮影装置およびプリント装置の状況をディスプレイ装置により１箇所で確認することができるように構成されていることを特徴とする。
この発明に従うと、撮影装置およびプリント装置の状況を１箇所で確認することができるため、システムの管理を１箇所で行なうことができ、システムの利便性が増す。
好ましくはディスプレイ装置はサーバに接続され、各機器から通知された情報に基づいて、ディスプレイ装置は各機器の状況を確認するための情報を表示する。
好ましくは各機器から通知される情報は、各機器で異常が発生したときに通知されるエラー情報である。
好ましくはディスプレイ装置は、エラー情報をコードで表示する。
好ましくはサーバは、通知された情報を蓄積し、ディスプレイ装置は、蓄積された情報に基づいて履歴表示を行なう。
この発明の他の局面に従うと、店舗内に設置され、被写体を撮影する撮影装置と、撮影装置により撮影された画像をＩＤとともに記憶するサーバと、プリント装置とからなり、撮影装置とプリント装置とは異なる場所に設置された写真撮影システムを制御するための制御方法は、撮影装置において、撮影のための対価を受領する撮影対価受領ステップと、撮影対価受領ステップによる対価の受領により、被写体を複数回撮影し、撮影装置による複数回の撮影により撮影された複数の画像に対応し、複数の画像を特定することができるＩＤを情報記録媒体に記録する撮影ステップと、プリント装置において、撮影ステップにおいて記録された情報記録媒体の複数の画像を特定することができるＩＤを受付け、受付けられたＩＤに基づいて、画像がサーバにあれば、プリントのための対価を受領し、画像がサーバになければその旨表示を行う、プリント対価受領ステップと、プリント対価受領ステップによる対価の受領により、撮影ステップにより撮影された画像に合成すべき画像を入力し、撮影ステップにより撮影された画像を印刷媒体にプリントするプリントステップとを備える。プリントステップでは、サーバを介して撮影装置により撮影された画像を取得し、プリントを行なう。
この発明のさらに他の局面に従うと、店舗内に設置され、被写体を撮影する撮影装置と、撮影装置により撮影された画像をＩＤとともに記憶するサーバと、プリント装置とからなり、撮影装置とプリント装置とは異なる場所に設置された写真撮影システムを制御するための制御プログラムは、撮影装置において、撮影のための対価を受領する撮影対価受領ステップと、撮影対価受領ステップによる対価の受領により、被写体を複数回撮影し、撮影装置による複数回の撮影により撮影された複数の画像に対応し、複数の画像を特定することができるＩＤを情報記録媒体に記録する撮影ステップと、プリント装置において、撮影ステップにおいて記録された情報記録媒体の複数の画像を特定することができるＩＤを受付け、受付けられたＩＤに基づいて、画像がサーバにあれば、プリントのための対価を受領し、画像がサーバになければその旨表示を行う、プリント対価受領ステップと、プリント対価受領ステップによる対価の受領により、撮影ステップにより撮影された画像に合成すべき画像を入力し、撮影ステップにより撮影された画像を印刷媒体にプリントするプリントステップとを備える。プリントステップでは、サーバを介して撮影装置により撮影された画像を取得し、プリントを行なう。
【００３２】
【発明の実施の形態】
［第１の実施の形態］
図１は、本発明の第１の実施の形態における撮影システムの構成を示す図である。
【００３３】
図を参照して、撮影システムは、システム利用者（ユーザ）の撮影を行なう撮影ＢＯＸ（Ａ）１５９および撮影ＢＯＸ（Ｂ）１６１と、撮影された画像のデータなどを蓄積するファイルサーバ１５５と、ファイルサーバ１５５から適宜画像を読出して表示し、その画像に重ね合せる画像をユーザが入力し、ユーザが入力した画像と撮影された画像とを合成してプリント出力する落書きＢＯＸ１６３と、各装置を接続するためのＨＵＢ（ハブ）１５７とから構成される。
【００３４】
ファイルサーバ１５５において画像のデータは画像を特定するＩＤとともに記録される。落書きＢＯＸでユーザは、自己のＩＤを入力することで、自己の画像を呼出すことができる。これにより、ユーザは画像の撮影からすぐに画像入力、プリントを行なわずに、時間を置いてこれらの作業を行うこともできる。
【００３５】
また、撮影システムは、インターネット（またはその他の有線、無線の通信手段）１５３を介して、外部サーバ１５１に接続される。これにより、撮影された画像を外部に送信することが可能となる。
【００３６】
撮影システムにおいて、写真を撮影する撮影ＢＯＸ１５９，１６１と、ユーザが画像を入力し、プリントを行なう落書きＢＯＸ１６３とは離れた位置にあるため、撮影の終わったユーザが長時間撮影ＢＯＸ内に留まることがなくなる。これにより、効率的に写真撮影、画像入力およびプリントを行うことが可能である。
【００３７】
すなわち、従来の撮影システムでは、撮影を行なう装置と落書きおよびプリントを行なう装置とが同じ筐体内に設けられていたため、写真を撮影したユーザが画像を入力し、プリントする間、他の者が次の撮影を行うことができないという問題があった。本実施の形態におけるシステムでは、撮影ＢＯＸと落書きＢＯＸとを別の位置に置いているため、撮影、画像入力およびプリントの処理を流れ作業的に行うことができる。
【００３８】
なお、ファイルサーバ１５５、撮影ＢＯＸ（Ａ）１５９、撮影ＢＯＸ（Ｂ）１６１および落書きＢＯＸ１６３には無停電電源装置（ＵＰＳ）を備えることが望ましい。突然の停電によりデータが消失したりすることを防ぐためである。また、同様にファイルサーバ１５５にはデータをバックアップするためのバックアップシステムを接続することが望ましい。
【００３９】
図２は、図１の撮影ＢＯＸ（Ａ）１５９の外観を示す図である。
図２を参照して、撮影ＢＯＸ（Ａ）１５９は、撮影スペースを形成する壁２９０と、撮影を行なうカメラ本体２６０とから構成される。カメラ本体２６０の底部にはキャスタが取付けられているため、ユーザはカメラ本体２６０を任意の位置に移動して撮影を行うことができる。
【００４０】
図３は、カメラ本体２６０の斜視図である。図を参照して、カメラ本体２６０は、ユーザを撮影するためのカメラ２５３と、カメラ２５３により撮影されている画像をリアルタイムで表示するディスプレイ（ライブモニタ）２６１と、撮影された画像のＩＤを記録した磁気カードを出力する磁気カードリーダ／ライタ２６３と、コイン投入口２５５と、コイン返却口２８３とを備えている。また、図示しない操作部（リモコン）がカメラ本体２６０に接続されており、当該操作部によりユーザはシャッタを切ったり、画像の撮直しを行ったりすることができる。
【００４１】
前述の通り、ユーザは撮影ＢＯＸで撮影を行なった後、別の位置に設けられている落書きＢＯＸに移動し、そこで自己の画像をファイルサーバ１５５から読出し、落書き画像の入力や、撮影された画像と落書き画像とが合成された画像のプリントを行なう。したがって、撮影された画像と読出す画像とを一致させる必要があるが、ここではそれを磁気カードに記録されたＩＤにより行なっている。
【００４２】
すなわち、撮影毎に画像を特定するためのＩＤがファイルサーバ１５５または撮影ＢＯＸにて発行される。撮影ＢＯＸでそのＩＤが記録された磁気カードが発行される。ファイルサーバにおいて、画像とＩＤとは対応付けられて記録される。落書きＢＯＸにおいて磁気カードが挿入されると、その磁気カードに記録されたＩＤに対応する画像がファイルサーバ１５５から読出され、ユーザは落書き画像の入力や、プリントを行うことが可能となる。
【００４３】
図４〜図７は、カメラ本体２６０の操作例を示す斜視図である。
図に示されるように、ユーザはカメラ２５３およびディスプレイ２６１が設置された部材を上位置で固定したり（図４，５）、下位置で固定したり（図６，７）することができる。また、ユーザはカメラ２５３およびディスプレイ２６１が設置された部材を回転させたり、カメラ２５３を上に向けたり（図６，７）、下に向けたりすることができる。これにより、ユーザは自分の好みの方向、画角で撮影を行うことができる。
【００４４】
図８は、カメラ本体２６０のハードウェア構成を示すブロック図である。
図を参照して、カメラ本体２６０は、カメラ２５３と、コイン投入口に投入されたコインを検出するコイン検出部２５５ａと、リモコンなどにより構成される操作部２５７と、ディスプレイ２６１と、磁気カードリーダ／ライタ２６３と、計時を行なうタイマ２６９と、各種カウントを行なうカウンタ２７１と、装置全体の制御を行なう制御部２７３と、撮影された画像をデジタルデータとして一時記憶する画像記憶部２７７と、ＨＵＢ１５７に接続を行なうためのＬＡＮ（Local Area Network）カード２７５とから構成される。
【００４５】
図９および図１０は、撮影ＢＯＸ（Ａ）１５９で行なわれる撮影処理を示すフローチャートである。
【００４６】
図９および図１０を参照して、撮影ＢＯＸ（Ａ）に電源が投入されたのであれば、ステップＳ８０１で制御部２７３においてエラーチェックを行なう。エラーがあった場合には、エラー画面（筐体異常、カメラ異常、コインカウンタ異常、磁気カードリーダ／ライタ異常など）を表示する。
【００４７】
エラーチェックによりエラーがないと判定された場合には、ステップＳ８０３で、ファイルサーバ１５５と通信を行ない、日付を確認し、その設定を行なう。ステップＳ８０５で、装置の管理者に磁気カードリーダ／ライタ２６３のクリーニングを行なう旨の指示がなされ、装置管理者はクリーニングのためのカードを用いて、磁気カードリーダ／ライタ２６３のクリーニングを行なう。また、このときにクリーニングカードのチェックおよび磁気カードリーダ／ライタ２６３の動作チェックなどが行なわれる。
【００４８】
ステップＳ８０７でコインの受付が開始され、ステップＳ８０９以降で写真撮影のための対価である、投入されたコインの枚数の判定が行なわれる。この実施の形態においては、たとえば撮影のための対価を１００円〜８００円まで１００円単位で設定可能であるものとする。また、装置管理者は設定をデフォルトに戻すこともでき、デフォルトにおいては撮影のための対価は１００円であるものとする。さらに、撮影のための対価を０円に設定することも可能であり、この設定を「フリープレイ」と称する。
【００４９】
ステップＳ８１１でデモ画面１〜４がディスプレイ２６１に順に表示される。各デモ画面は表示に１０秒の時間を要するものとする。
【００５０】
ステップＳ８１３で操作部２５７に含まれるテストスイッチが押下されたかが判定され、ＹＥＳであれば装置のテストを行なうテストモードに移行する。テストスイッチが押されていなければ、ステップＳ８１５でサービススイッチが押下されたかが判定され、ＹＥＳであれば図１０のステップＳ８１９へ進み、ＮＯであれば図１０のステップＳ８１７へ進む。ここに、サービススイッチとは、装置のテストなどのために用いられるスイッチであり、コインを投入しなくても撮影を可能とするためのスイッチである。
【００５１】
ステップＳ８１７においては、コインの受付を終了し、撮影のための対価に相当するコインが投入されたのであれば、ステップＳ８１９以降で、撮影の残り時間が０以下となるか、または操作部２５７に含まれる撮影ボタンが押下されたかが判定される。
【００５２】
なお、撮影のための時間はテストモードにおいて装置管理者が設定可能であり、たとえば１５０秒、１８０秒（デフォルト値）、２１０秒、２４０秒または無制限などの時間を設定することが可能である。
【００５３】
ステップＳ８２１においては撮影ボタンの押下待ち画面が表示される。
ステップＳ８２３において、残り時間が０秒になったかが判定され、ＮＯであればステップＳ８２５へ進み、ＹＥＳであればステップＳ８３１へ進む。
【００５４】
ステップＳ８２５においては、撮影を行なうまでの時間のカウントダウンが行なわれ（このとき同時に図示しないスピーカなどから音声を出力してもよい）、ステップＳ８２７で撮影が行なわれる。
【００５５】
ステップＳ８２９で撮影した枚数が８枚以上となったのであれば、ステップＳ８３１へ進み、ＮＯであればステップＳ８１９からの処理を行なう。
【００５６】
ステップＳ８３１で撮影により得られたデータをファイルサーバ１５５へ送信し、ステップＳ８３３でデータの送信が終了するまで待機する。
【００５７】
ステップＳ８３５でデータの送信が終了したと判定されたのであれば、ステップＳ８３７で、撮影された画像に対応するＩＤを磁気カードに記録し、排出する。ステップＳ８３９で撮影終了画面が表示され、ステップＳ８０７で次の顧客を待つ。
【００５８】
なお、ファイルサーバ１５５に対するデータの送信が失敗したのであれば、その旨通知しカードは排出しないようにすることが望ましい。また、本実施の形態においては撮影ＢＯＸ（Ａ）内に多数の磁気カードを保存し、各カードにＩＤ情報を書込みユーザに提供することとしているが、カードの残りがない場合においても、その旨のメッセージを表示することが望ましい。
【００５９】
図１１は、図１の撮影ＢＯＸ（Ｂ）１６１の外観を示す図であり、図１２は、撮影ＢＯＸ（Ｂ）１６１のカメラなどが設けられている部分の正面図である。
【００６０】
図１１および１２を参照して、撮影ＢＯＸ（Ｂ）１６１は、撮影スペースを形成する壁２９０と、ユーザを撮影するためのカメラ２５３と、カメラ２５３により撮影されている画像をリアルタイムで表示するディスプレイ（ライブモニタ）２６１と、撮影された画像のＩＤを記録した磁気カードを出力する磁気カードリーダ／ライタ２６３と、コイン投入口２５５と、コイン返却口２８３とを備えている。
【００６１】
また、撮影ＢＯＸ（Ｂ）１６１には、照明装置（照明およびストロボ）２５１と、カメラ２５３およびディスプレイ２６１を上下に移動させるためのレール部材２８１と、操作説明やメニューなどを表示するディスプレイ２７９と、シャッタボタンやキャンセルボタンを含む操作部２５７と、撮影された画像と呼出す画像とを一致させるためのＩＤをバーコードとしてプリントするバーコードプリンタ２６５と、撮影により得られた画像をＣＤ−ＲＯＭ、ＩＣカード、ハードディスクカード、フレキシブルディスクなどの外部メディアに書込むためのメディア書込部２６７とを備えている。
【００６２】
撮影ＢＯＸ（Ｂ）１６１においては、撮影された画像をユーザがメディアに記録して持帰ることができる。これにより、ユーザは自宅のパソコンや端末装置などで画像を加工したり、プリントしたりすることができる。
【００６３】
図１３は、撮影ＢＯＸ（Ｂ）１６１のハードウェア構成を示すブロック図である。
【００６４】
図を参照して、撮影ＢＯＸ（Ｂ）１６１は、照明装置２５１と、カメラ２５３と、コイン投入口に投入されたコインを検出するコイン検出部２５５ａと、ディスプレイ２６１と、磁気カードリーダ／ライタ２６３と、計時を行なうタイマ２６９と、各種カウントを行なうカウンタ２７１と、装置全体の制御を行なう制御部２７３と、撮影された画像をデジタルデータとして一時記憶する画像記憶部２７７と、ＨＵＢ１５７に接続を行なうためのＬＡＮカード２７５とを備えている。
【００６５】
また、撮影ＢＯＸ（Ｂ）１６１には、前述の通り、操作説明やメニューなどを表示するディスプレイ２７９と、シャッタボタンやキャンセルボタンを含む操作部２５７と、撮影された画像と呼出す画像とを一致させるためのＩＤをバーコードとしてプリントするバーコードプリンタ２６５と、撮影により得られた画像をＣＤ−ＲＯＭ、ＩＣカード、ハードディスクカード、フレキシブルディスクなどのメディアに書込むためのメディア書込部２６７とが備えられている。
【００６６】
図１４は、撮影ＢＯＸ（Ｂ）での処理を示すフローチャートである。
図１４を参照して、ステップＳ８５１でディスプレイ２７９を介してユーザにコインを入れる旨の指示がなされる。コインの投入があれば、ステップＳ８５３でユーザに対しモード選択の指示がなされる。ユーザが選択できるモードには「ノーマルモード」と「こだわりモード」とがあり、「こだわりモード」においてはユーザはライティングの方法（どの方向から光を当てるか、どの程度の強さの光を当てるかなど）を選択して撮影を行なうことができる。
【００６７】
ノーマルモードが選択されたときには、ステップＳ８５５において、ユーザに撮影ボタン（シャッタボタン）を押す旨指示がなされ、ステップＳ８５７で撮影ボタンの押下に応答して撮影がなされる。
【００６８】
ステップＳ８５９で撮影が終了したかが判定され、ＮＯであればステップＳ８５５へ戻り、ＹＥＳであればステップＳ８６９で画像はファイルサーバ１５５へ送られ、磁気カードなどにＩＤ情報が記憶され、それが排出される。
【００６９】
こだわりモードが選択されたときには、ステップＳ８６１でユーザによるライティングの選択が行なわれ、ステップＳ８６３で撮影ボタンを押下する旨の指示がなされ、ステップＳ８６５でその画像をキープするか否かの選択がユーザによりなされる。キープする場合には、ステップＳ８６７へ進み、キープしない場合には再撮影が行なわれる。
【００７０】
ステップＳ８６７において撮影が終了したかが判定され、ＹＥＳであればステップＳ８６９へ進み、ＮＯであればステップＳ８６１へ戻る。
【００７１】
本実施の形態においては、ノーマルモードにおいてユーザは３分間の間に最大８枚の写真を撮影することができ、こだわりモードにおいては、３分間の間に最大４枚の写真を撮影することができるものとする。
【００７２】
図１５は、落書きＢＯＸ１６３の外観を示す図である。
図を参照して、落書きＢＯＸ１６３には、撮影ＢＯＸにより発行された磁気カードからＩＤを読取る、磁気カードリーダ／ライタ３５７と、撮影ＢＯＸ（Ｂ）により発行されたバーコードを読取るバーコードリーダ３５９と、ユーザの用意したメディアを読取るメディア読取部３６１と、コイン投入口２５５と、コイン返却口２８３と、ファイルサーバ１５５から読出された画像およびユーザにより入力された落書き画像を表示するディスプレイ３５１ａ，３５１ｂと、ディスプレイの上に重ねて設けられるタッチパネル３５２ａ，３５２ｂと、タッチパネルへの入力を行なうためのタッチペン３５３ａ，３５３ｂと、画像が印刷されたシール、カードなどの印刷媒体を出力するプリンタ３５５ａ，３５５ｂと、それぞれのプリンタに対応した取出口とが設けられている。
【００７３】
落書きＢＯＸ１６３には、２つのディスプレイおよびタッチパネルが設けられているため、２人のユーザが同時に画像の入力や確認を行うことができる。
【００７４】
図１６は、落書きＢＯＸ１６３のハードウェア構成を示すブロック図である。図を参照して、落書きＢＯＸ１６３には、撮影ＢＯＸにより発行された磁気カードからＩＤを読取る、磁気カードリーダ／ライタ３５７と、撮影ＢＯＸ（Ｂ）により発行されたバーコードを読取るバーコードリーダ３５９と、ユーザの用意したメディアから情報を読取るメディア読取部３６１と、コイン投入口２５５に投入されたコインを検出するコイン検出部２５５ａと、ファイルサーバ１５５から読出された画像およびユーザにより入力された落書き画像を表示するディスプレイ３５１ａ，３５１ｂと、ディスプレイの上に重ねて設けられるタッチパネル３５２ａ，３５２ｂと、タッチパネルへの入力を行なうためのタッチペン３５３ａ，３５３ｂと、計時を行なうタイマ２６９と、各種カウントを行なうカウンタ２７１と、装置全体の制御を行なう制御部３６３と、ファイルサーバ１５５より読出した画像をデジタルデータとして一時記憶する画像データ記憶部３６９と、タッチパネル３５２ａ，３５２ｂにより入力された画像をデジタルデータとして一時記憶するペン画像記憶部３６７と、ＨＵＢ１５７に接続を行なうためのＬＡＮカード２７５と、画像データ記憶部３６９およびペン画像記憶部３６７のデータを合成する画像合成部３６５と、取出口のそれぞれに対応する２台のプリンタ３５５ａ，３５５ｂと、合成された画像をプリンタ３５５ａまたは３５５ｂのどちらでプリントするかを決定するプリンタ制御部３７１とが設けられている。
【００７５】
２台のプリンタはそれぞれ異なる機種である。カメラとプリンタの相性を考え、たとえば撮影ＢＯＸ（Ａ）で撮影された画像であれば、プリンタ３５５ａでプリントを行ない、撮影ＢＯＸ（Ｂ）で撮影された画像であれば、プリンタ３５５ｂでプリントを行なうなどすることで、カメラと相性のよいプリンタでプリントを行うことができる。この場合、撮影を行なったカメラを特定するための情報を、画像とともに記録することが好ましい。
【００７６】
また、ユーザの好みに応じてプリンタを使い分けるようにしてもよい。さらに、一台のプリンタのみで高品質のプリントができる場合に、そのプリンタが選択されたときにはプリント料金を高くするようにしてもよい。
【００７７】
図１７は、プリンタ３５５ａの構成の具体例を示す図である。
図１７を参照して、プリンタ３５５ａは、２つの記録ヘッド３８５ａ，３８５ｂを備えている。記録ヘッド３８５ｂは、イエロー、シアンおよびマゼンタの３色の昇華性のインクが付与されたインクフィルム上のインクを熱により印刷媒体Ｐにプリントするための記録ヘッドである。
【００７８】
一方、記録ヘッド３８５ａは、金や銀などのメタリック色の顔料インクが付与されたインクフィルムのインクを熱により印刷媒体Ｐに印刷するための記録ヘッドである。
【００７９】
プリンタ３５５ａには、画像データを入力するための入力端子３８０と、画像データをバッファリングするためのバッファ３８１ａ，３８１ｂと、バッファに記録された画像データに基づきそれぞれの記録ヘッドを制御するためのヘッド制御部３８３ａ，３８３ｂとが設けられている。また、プリンタ３５５ａには印刷媒体Ｐを図面の右から左に搬送するためのロール３８７が設けられている。この実施の形態においては、プリンタ内部に蓄積された印刷媒体Ｐのうちの１枚が図面の右から左に搬送され、搬送に伴い記録ヘッド３８５ｂによるプリント、記録ヘッド３８５ａによるプリントの順にプリントが行なわれる。
【００８０】
図１８は、落書きＢＯＸで行なわれる磁気カードの挿入からゲーム（画像入力、プリントなど）スタートまでの処理を示すフローチャートである。
【００８１】
図を参照して、ステップＳ７０１でカードが装置に挿入されると、ステップＳ７０３でカード自体のチェックが行なわれる。エラーがあれば、その旨ステップＳ７２５で画面などに表示を行ない、一定時間経過すると、ステップＳ７２７でログにエラー情報を記録する。ステップＳ７２３でカードを排出して、ステップＳ７０１に戻る。
【００８２】
カードにエラーがなければ、ステップＳ７０５で、磁気カードに書きこまれたＩＤに対応する画像の取得をサーバから行なう。ステップＳ７０７で、画像がサーバ上にあるかが判定され、なければ（または記録されてから所定時間が経過していれば）、その旨ステップＳ７１７で画面などに表示を行ない、一定時間経過すると、ステップＳ７１９でログにエラー情報を記録する。ステップＳ７２１でカードを排出して、ステップＳ７０１に戻る。
【００８３】
ＩＤに対応する画像がサーバ上にあれば、ステップＳ７０９でコインを受付け、ステップＳ７１１でコインが入れられたか判定する。コインが１枚も入れられない状態で、所定時間が経過すると、タイムアウトと判定し、ステップＳ７２３へ進む。
【００８４】
１枚でもコインが入れられると、ステップＳ７１３へ進み（これ以降はタイムアウトの判定を行なわない）、残りのコインを受付ける。所定のコインの投入があったのであれば、ステップＳ７１５で磁気カードの磁気情報を消去し、カードを回収する（すなわちユーザには返却しない）。
【００８５】
このフローチャートではユーザにカードを返却しないので、カードを再利用することを容易に行なえるという効果がある。
【００８６】
図１９は、図１８のステップＳ７１５の処理の後に行なわれる処理を示すフローチャートである。
【００８７】
図１９を参照して、ステップＳ７１７で、ユーザに対して加工を行なう撮影画像を選択させる。ここでは、８枚の撮影された画像の中から、ユーザが最大４枚の画像を選択できるものとする。
【００８８】
ステップＳ７１９で、ユーザが使用するプリンタを選択する。ここでは、ユーザはプリンタ３５５ａまたはプリンタ３５５ｂのいずれかを選択できるものとする。プリンタ３５５ａが選択された場合には、ステップＳ７２１において画像の明るさ調整および写真の回転の処理が行なわれる。ステップＳ７２３で金色や銀色などの色を含む画像がユーザから入力される。ステップＳ７２９でユーザは好みのレイアウトを選択し、ステップＳ７３１で画像の合成とプリントアウトが行なわれる。
【００８９】
ステップＳ７１９でプリンタ３５５ｂが選択された場合には、ステップＳ７２５で明るさ調整や写真の回転が行なわれる。次に、ステップＳ７２７で金色や銀色を含まない通常の色のみによる画像入力が行なわれ、ステップＳ７２９へ進む。
【００９０】
すなわち、本実施の形態においてはユーザは金色や銀色の色彩を用いた画像の入力を行なうか否かを選択することができる。また、プリンタ３５５ａは２つのヘッドを有する高価なプリンタであり、プリンタ３５５ｂは１つのヘッドによりプリントを行なう従来型のプリンタであるため、プリンタ３５５ａが選択されたときには追加料金を徴収する、または最終的に必要となる料金を高くするなどの処理を行なうことが望ましい。
【００９１】
図２０は、図１８に示されるフローチャートの変形例を示すフローチャートである。
【００９２】
図２０を参照して、ステップＳ７５１でデモ画面を表示する。ステップＳ７５３でユーザから特定の入力（たとえば特定のキー操作や、特定のタッチパネルの操作など）が行なわれたかが判定され、ＹＥＳであればステップＳ７５５へ進む。ステップＳ７５５においては、パスワードを入力する旨ディスプレイに表示が行なわれる。
【００９３】
ステップＳ７５７でユーザからパスワードが入力されたのであれば、ステップＳ７５９でパスワードのチェックが行なわれる。パスワードが正当なものであれば、ステップＳ７６１において、ファイルサーバ１５５に対して画像を送信する旨の指示が出される。ファイルサーバに画像が存在すれば（Ｓ７６３）、ステップＳ７６５へ進みコインの投入をする旨ユーザに指示がなされる。
【００９４】
ステップＳ７６７でコインが投入されないまま所定時間が経過したか（タイムアウトとなったか）が判定され、タイムアウトであれば、ステップＳ７７１でその旨表示し、ステップＳ７５１へ戻る。
【００９５】
コインが投入された場合には（Ｓ７６９）、図１９に示される処理を行なう。また、ステップＳ７５９でパスワードが不正である場合や、ステップＳ７６３で画像がファイルサーバにない場合には、ステップＳ７７１でその旨表示し、ステップＳ７５１へ戻る。
【００９６】
図２１は、ファイルサーバ１５５のハードウェア構成を示すブロック図である。
【００９７】
図を参照して、ファイルサーバ１５５は、装置全体の制御を行なうＣＰＵ４５９と、ディスプレイなどよりなる表示部４５１と、フレキシブルディスクドライブ４５３と、ＣＤ−ＲＯＭドライブ４５５と、ＬＡＮカード４５７と、キーボード、マウスなどよりなる入力部４６１と、ＲＯＭ４６３と、ＲＡＭ４６５と、ハードディスクドライブ４６７とから構成される。
【００９８】
画像データはＩＤとともに、ハードディスクドライブ４６７に記録される。
［処理の変形例］
図２２は、撮影ＢＯＸ（Ａ）または（Ｂ）で行なわれる処理の変形例を示すフローチャートである。
【００９９】
図を参照して、ステップＳ５０１で、デモ画面をディスプレイに表示し、コインが投入されるまで（ステップＳ５０３）待機する。コイン（ここでは１００円とする）が投入されたのであれば、ステップＳ５０５で撮影を行なう。
【０１００】
ステップＳ５０７で、撮影により得られた画像データは、画像ファイルとして画像記憶部２７７に一時的に保存される。ステップＳ５０９で所定回数（たとえば４回）の撮影が終了したかが判断され、終了していなければステップＳ５０５からの処理を行ない、終了していればステップＳ５１１へ進む。
【０１０１】
ステップＳ５１１においては、撮影された複数の画像を特定することができる一つのＩＤ情報を作成する。ステップＳ５１３で、ＩＤ情報と共に画像ファイルがファイルサーバ１５５に送られる。
【０１０２】
ステップＳ５１５で磁気カードリーダ／ライタを用いて、ＩＤ情報を記録した磁気カードがユーザに提供される。
【０１０３】
なお、磁気カードは装置内部に多数蓄えておき、上述のようにユーザに提供するようにしてもよいし、ユーザが持ってきた磁気カードにＩＤ情報を書きこむようにしてもよい。
【０１０４】
また、磁気カードをプリペイドカードと兼用させるようにし、コイン投入のステップ（Ｓ５０３）を省くようにしてもよい。
【０１０５】
図２３および図２４は、落書きＢＯＸで行なわれる処理の変形例を示すフローチャートである。
【０１０６】
図を参照して、ステップＳ６０１で、デモ画面をディスプレイに表示し、コインが投入されるまで（ステップＳ６０３）待機する。コイン（ここでは３００円とする）が投入されたのであれば、ステップＳ６０５に進む。
【０１０７】
ステップＳ６０５において、ユーザの磁気カードに記録されたＩＤ情報、バーコードに記録されたＩＤ情報や、または後述するシールに記録されたＩＤ情報を読取る。なお、ＩＤ情報の読取りは、コインの投入前に行なってもよい。
【０１０８】
バーコードまたはシールに記録されたＩＤ情報が正当なものであれば（Ｓ６０７でＹＥＳ）、ステップＳ６１３に進む。また、磁気カードが正当なものであれば（Ｓ６０９でＹＥＳ）、ステップＳ６１１に進み、磁気カードからＩＤ情報を読取る。
【０１０９】
ステップＳ６０９でＮＯであれば、ステップＳ６０５へ戻る。
ステップＳ６１３では、ＩＤ情報に対応する画像ファイルをファイルサーバ１５５から読出す。ステップＳ６１５（図２４）で、読出された画像ファイルはディスプレイ３５１ａ，３５１ｂに表示される。そして、タッチペン３５３ａ，３５３ｂおよびタッチパネル３５２ａ，ｂを用いて、ユーザは、画像ファイルに重ねて表示すべきペン画像を作成する。
【０１１０】
ステップＳ６１７で、ユーザからファイルサーバ１５５に記録された画像を削除するかの指示を受付け、削除する場合にはステップＳ６１９で削除を行なう。
【０１１１】
また、ステップＳ６２１で画像ファイルを第三者に閲覧させるようにしてよいかの指示をユーザから受付け、閲覧させるようにしてもよい場合にはステップＳ６２３でインターネット１５３を介して画像公開用の外部サーバ１５１に画像データを送信（投稿）する。
【０１１２】
ステップＳ６２５で、画像ファイルの画像とペン画像とが合成された画像が、プリントされる。なお、このプリントの際には、印刷媒体に合成画像とともにＩＤ情報がプリントされる。ＩＤ情報は、文字、数字、図形、バーコードなどを用いてプリントされる。
【０１１３】
図２５は、図２４のステップＳ６２５でプリントされる印刷媒体の具体例を示す平面図である。
【０１１４】
ここではシールを１２分割し、各部分に画像がプリントされている。また、シールの右上と左上に、ＩＤ情報がプリントされている。右上のＩＤ情報と左上のＩＤ情報とが１つとなってはじめて、落書きＢＯＸに認識されるＩＤ情報となる。
【０１１５】
すなわち、シールをたとえば真中から左右に切り分けたときには、ＩＤ情報は２つに分かれてしまい、両者を見なければ、画像を呼び出すことができなくなる。これにより、画像が不正に使用されることなどを防ぐことができる。
【０１１６】
以上のように、本実施の形態においては、写真を撮影する撮影ＢＯＸと、ユーザが画像を入力し、プリントを行なう落書きＢＯＸとが離れた位置にあるため、撮影の終わったユーザが長時間撮影ＢＯＸ内に留まることがなくなる。これにより、効率的に写真撮影、画像入力およびプリントを行うことが可能である。
【０１１７】
また、ＩＤを用いて撮影された画像を特定することができるため、自己の画像と異なる画像が落書きＢＯＸにおいて呼出されることを防ぐことができる。さらに、ＩＤを用いることにより、撮影順に落書きＢＯＸで画像の入力およびプリントを行なう必要がなくなり、ユーザは好きな時間に（例えば、撮影から数日経過したあとで）落書きＢＯＸで画像を入力したり、プリントすることができる。
【０１１８】
さらに、ユーザは一旦プリントを行なった後でもＩＤにより再び画像を呼出して、画像の入力およびプリントを行うことができる。特に、タッチペンで入力された画像と、撮影により得られた画像とを分けて記録しておくことで、容易にタッチペンで入力された画像のみを消去して、再びタッチペンで新たな画像を入力することが可能となる。このようにすると、ユーザは同一の撮影画像に対して異なる画像をタッチペンで入力し、プリントを行うことができるようになる。
【０１１９】
なお、装置により付与された情報の他に、ユーザが指定したパスワードなどの情報（または、携帯電話の電話番号など）をＩＤ情報とすることもできる。また、ユーザのバイオメトリクス情報（指紋、網膜、顔、署名などから得られる情報）をＩＤとすることもできる。
【０１２０】
また、上述の実施の形態においては、コインまたはプリペイドカードにより遊戯の対価を徴収するようにしたが、紙幣、デビットカード、クレジットカード、メダルを用いて対価を徴収するようにしてもよい。
【０１２１】
［第２の実施の形態］
図２６は、本発明の第２の実施の形態における撮影システムの構成を示す図である。
【０１２２】
図２６を参照して、撮影システムは、被写体を撮影するための撮影機２００と、撮影機２００により撮影された画像をその画像を特定するためのデータ（ＩＤ）とともに保持するサーバ１００と、サーバ１００に記録された画像に対して氏名、住所、誕生日などの情報を付加するためのデータ入力機６００と、サーバ１００に記録された画像をプリントするプリント機Ａ７００と、サーバ１００に記録された画像を呼出すための情報が記録されたカードなどにデータや画像をプリントするプリント機Ｂ８００と、サーバ１００に記録された画像を表示する表示機５０１とから構成されている。
【０１２３】
また、サーバ１００はマスタサーバ３００ａを介して、他の店舗のサーバ３００に接続されており、相互に画像データなどの情報を交換することが可能である。さらに、通信網を介して、サーバ１００から画像データを携帯電話や携帯端末などの機器に送信することも可能である。
【０１２４】
ユーザが撮影機２００により撮影を行なうと、その画像データはサーバ１００に送信され、サーバ１００に記録される。また、このときユーザに対してその画像を特定するためのバーコード情報が記載されたカード（または紙片)が発行される。ユーザは、たとえばプリント機Ａ７００のところへ行き、そのバーコードを読取らせることで、サーバ１００から自己の画像を取出し、画像を加工（または撮影画像に重合せる画像を入力）したりプリントさせることができる。
【０１２５】
なお、サーバ１００は撮影機２００やプリント機の内部に設けることもできる。またサーバ１００や撮影機２００などの間は、専用の通信ケーブルなどで結ぶようにしてもよいし、インターネットその他の回線を介して撮影機やプリント機を接続することも可能である。また、無線ＬＡＮなどを用いてもよい。
【０１２６】
図２７は、図２６の撮影機２００の構成を示す図である。
図２７を参照して、撮影機２００においては、筐体１０の内部または表面に各種装置が配備されている。説明の便宜上筐体１０において使用者（ユーザ）７と対向する側を前側とする。すなわち、図２７の筐体１０に関して紙面の左側が筐体１０の前側、右側を筐体１０の後側とする。なお、被写体７０としては、任意の物体を選択することができるが、本実施の形態では、使用者７の全身が被写体７０であるものとする。
【０１２７】
被写体７０の背後には、外部からの光を遮断するカーテン１２が配備される。カーテン１２は、筐体１０の前面の上部および下部から前方へ突出した支持フレーム１３，１４によって支持される。カーテン１２の内面には、画像の合成手法に応じた色彩が施される。たとえば、クロマキー合成であれば、カーテン１２の内面全体に青色、緑色などのクロマキー色が施される。
【０１２８】
撮影機の筐体１０内には、被写体７０を撮影するビデオカメラ（またはデジタルカメラ）３０（以下カメラ３０という）と、カメラ３０から画像信号を受信して画像を合成する制御部５と、制御部５からの画像信号を受信して画像を表示するディスプレイ６０と、バーコードなどの情報を印刷するプリンタ６５とが配備される。
【０１２９】
本実施の形態においては、使用者７がディスプレイ６０から見る合成画像は、被写体７０の像と、制御部５に予め記憶された記憶画像とを合成したものである。
【０１３０】
カメラ３０が被写体７０を撮影し、使用者７がディスプレイ６０に表示された画像を見るために、筐体１０の前面上部が開口しており、該開口部には、ガラス、プラスチックなどの透明板１１が配置される。透明板１１の後方にはハーフミラー６１が配備され、ハーフミラー６１の下方には、ディスプレイ６０が配備される。
【０１３１】
ディスプレイ６０およびハーフミラー６１は、ディスプレイ６０の発する光がハーフミラー６１において反射して使用者７に達するように配備される。
【０１３２】
したがって、使用者７は、ディスプレイ６０に表示される画像を見ることになる。そのために、ディスプレイ６０には、所定画像が表示される必要がある。それには、制御部５が所定画像信号をディスプレイ６０に送信すればよい。
【０１３３】
ハーフミラー６１の後方には、カメラ３０が配備される。カメラ３０は、被写体７０すなわち使用者７の全身を撮影できるように配備される。なお、撮影機の配置スペースの観点から、カメラ３０と被写体７０との間の距離は短い方が望ましい。この条件で、使用者７の全身を撮影するために、カメラ３０には、広角レンズが配置されることが望ましい。カメラ３０は、制御部５に接続され、被写体７０の撮影信号を制御部５に送信する。
【０１３４】
筐体１０内部の前面近くには、撮影された画像を特定するためのバーコード情報をカードや紙などの媒体に印刷するプリンタ６５が配備され、筐体１０前面のプリンタ６５に隣接する位置には、プリンタ６５で印刷された媒体６７を筐体１０の外部に送り出す取出し口６６が形成される。媒体の材料には、紙、プラスチック類などが使用される。
【０１３５】
筐体１０の前面で、かつ使用者７が操作しやすい位置に、操作部２０が配備される。操作部２０は、使用者７が各種操作を行なうボタン、レバーなどを有しており、使用者７の操作に基づき操作信号を生成して制御部５に送信する。
【０１３６】
また、筐体１０の前面で、かつ使用者７がコイン（対価の一種）を投入しやすい位置に、コイン投入口（図示せず）が設けられ、筐体１０内部のコイン投入口に隣接した位置に、投入したコインを検出するコイン検出部２５（図２８参照）が配備される。コイン検出部２５は、制御部５に対して検出信号を送信する。
【０１３７】
また、筐体１０前面の適所には、制御部５からサウンド信号を受信して、サウンドを出力するスピーカ６３（図２８参照）が配備される。
【０１３８】
また、筐体１０には被写体７０を前方から照明するためのフラッシュＦ１と、被写体７０を後方から照明するためのフラッシュＦ２と、カーテン１２を背後から照明するためのフラッシュＦ３とが設けられている。フラッシュＦ１〜Ｆ３は、カメラ３０による撮影に同期して発光するように制御される。
【０１３９】
図２８は、制御部５の主な構成を示すブロック図である。
制御部５は、各種制御を実行するパーソナルコンピュータ５０（以下、「パソコン５０」と称する。）を備える。パソコン５０は、操作部２０から操作信号を受信し、コイン検出部２５から検出信号を受信する。また、パソコン５０は、複数の画像データおよびサウンドデータを記憶する記憶装置５００を備える。パソコン５０は、指定した画像データを記憶装置５００から読出してグラフィックＩ／Ｆ（インターフェイス）回路５１に転送し、指定したサウンドデータを記憶装置５００から読出してサウンドＩ／Ｆ回路５２に転送する。
【０１４０】
グラフィックＩ／Ｆ回路５１は、パソコン５０から受取った記憶画像データを所定の記憶画像信号に変換して画像合成装置５４および表示選択回路５５に送信する。サウンドＩ／Ｆ回路５２がパソコン５０から受取ったサウンドデータは所定のサウンド信号に変換されてスピーカ６３に送信されることにより、スピーカ６３からサウンドが出力される。
【０１４１】
本実施の形態の場合、記憶装置５００に画像データとして記憶される画像には、デモンストレーション画像（以下、「デモ画像」と称する。）、および印刷されるべき複数の装飾画像が含まれる。
【０１４２】
カメラ３０からの被写体７０の画像信号は、画像補正装置５３によって受信され、画像補正装置５３は、被写体７０の画像を補正する。なぜなら、カメラ３０と被写体７０が図１に示すような配置である場合、カメラ３０によって撮影された被写体７０の画像は、頭部が大きくかつ足部が小さい台形に歪んだ形状となるからである。画像補正装置５３によって補正された被写体７０の画像信号は、画像合成装置５４に送信される。
【０１４３】
画像合成装置５４は、被写体７０の画像信号を第１画像信号として受信し、グラフィックＩ／Ｆ回路５１からの記憶画像の画像信号を第２画像信号として受信して、第１画像と第２画像とを合成する。なお、画像の合成手法は、実用新案登録第３０４３８５５号、実用新案登録第３０５１７７６号などに詳述されているため、ここではその詳細な説明を省略する。画像合成装置５４は、複数の合成手法を備え、パソコン５０からの指示により１つの合成手法を選択することが望ましい。合成された画像信号は、表示選択回路５５およびプリンタ６５に送信される。
【０１４４】
表示選択回路５５は、画像合成装置５４からの合成画像信号と、グラフィックＩ／Ｆ回路５１からの記憶画像信号を受信し、パソコン５０からの制御信号に基づいて一方の画像信号を選択して、ディスプレイ６０に送信する。ディスプレイ６０は、表示選択回路５５からの画像信号を受信して画像を表示する。
【０１４５】
また、制御部５は、パソコン５０からの制御信号に基づいて、プリンタ６５を制御するプリンタコントローラ５６を備える。プリンタ６５は、プリンタコントローラ５６の制御により、バーコードの画像データを生成し、媒体に印刷する。
【０１４６】
また、制御部５は、コイン投入数などをカウント表示する各種のカウンタ５８と、外部装置との間で通信を行なう通信部５９を備える。
【０１４７】
次に、上記構成の撮影機２００の動作について説明する。
使用者７がコインを投入するまでは、パソコン５０からの指示により、表示選択回路５５は、グラフィックＩ／Ｆ回路５１側を選択している。パソコン５０は、記憶装置５００に予め記憶されたデモ画像のデータを読出してグラフィックＩ／Ｆ回路５１に転送することにより、デモ画面がディスプレイ６０に表示される。パソコン５０は、記憶装置５００に予め記憶されたＢＧＭ（バックグウランドミュージック）データを読出してサウンドＩ／Ｆ回路５２に転送することにより、スピーカ６３からＢＧＭが流される。
【０１４８】
使用者７がコインを投入して、コイン検出部２５からの検出信号をパソコン５０が受信すると、パソコン５０は、適当なタイミングで、記憶装置５００に予め記憶された画像データおよびサウンドデータを読出し、読出した画像データを、グラフィックＩ／Ｆ回路５１および表示選択回路５５を介してディスプレイ６０に送信するとともに、読出したサウンドデータを、サウンドＩ／Ｆ回路５２を介してスピーカ６３に送信し、ディスプレイ６０上の画像およびスピーカ６３からの音声により使用者７に適宜指示を与える。
【０１４９】
図２９は、プリント機Ａの外観を示す図である。図を参照して、プリント機Ａには、同時に２人のユーザによる処理が可能となるように、２つのディスプレイ３０１ａ，３０１ｂと、それぞれのディスプレイにおいて表示された画像に書込などを行なうためのタッチペン３０３ａ，３０３ｂとが設けられている。
【０１５０】
また、プリント機Ａの内部にはプリンタ１２３と、パーソナルコンピュータなどにより構成される制御部１０１と、ユーザが提示したバーコードを読取るバーコードリーダ１０５とが備えられている。
【０１５１】
図３０は、プリント機ＡまたはＢの構成を示すブロック図である。図を参照して、プリント機は、装置全体の制御を行なう制御部１０１と、投入されたコインの検出を行なうコイン検出部１０３と、バーコードの読取を行なうバーコードリーダ１０５と、外部機器（特にサーバ）との間で通信を行なうための通信部１０７と、図２９で説明したディスプレイ３０１と、ディスプレイの上に形成され、タッチペン３０３による入力を可能とする入力部１１１と、サウンドＩ／Ｆ１１７と、スピーカ１１５と、画像合成装置１１９と、プリンタコントローラ１２１と、プリンタ１２３とから構成されている。
【０１５２】
バーコードリーダ１０５により読取られたバーコードは、制御部１０１によって解析され、解析された情報をもとにサーバから通信部１０７を介して画像データが読取られる。読取られた画像は、ディスプレイ３０１に表示され、ユーザによりタッチペン３０３を用いた画像の加工（または撮影画像に重ね合わされる画像の入力）が可能となる。画像は画像合成装置１１９において合成され、プリンタコントローラ１２１を介してプリンタ１２３に出力され、シールやカードや葉書きなどとしてユーザに提供される。
【０１５３】
また、加工が行なわれた画像（またはタッチペン１１３により入力された画像）のデータは、バーコードのデータと対応づけてサーバに記録される。このとき、加工が行なわれていないオリジナルの画像に上書きされるようにしてもよいし、オリジナルの画像と加工が行なわれた画像を両方記録するようにしてもよい。
【０１５４】
さらに、第１の実施の形態と同様に、撮影画像と、それに重ね合せる画像（すなわち、ユーザにより入力された画像）とを分けて記録するようにしてもよい。
【０１５５】
図３１は、表示機５０１またはデータ入力機６００の構成を示すブロック図である。図を参照して、表示機またはデータ入力機は、装置全体の制御を行なう制御部２０１と、外部との間で通信を行なう通信部２０５と、バーコードを読取るバーコードリーダ２０３と、ユーザからの入力を受付ける入力部２０９と、画像の表示などを行なうディスプレイ２０７とを備えている。
【０１５６】
表示機においては、通信部２０５を介してサーバ１００から画像データが入力され、入力された画像データがディスプレイ２０７に表示される。これにより、撮影された画像が一般公開される。なお、このとき撮影機２００により撮影された画像をすべて表示するようにしてもよいが、撮影機２００を用いたユーザが画像の一般公開のする／しないを選択することにより、「する」が選択された画像のみを順次ディスプレイ２０７に表示するように構成してもよい。
【０１５７】
また、ユーザはバーコードリーダ２０３を介してバーコードを読取らせることにより、そのバーコードに対応した画像データをサーバ１００より呼出し、ディスプレイ２０７に表示させることができる。これにより、ユーザは自己の撮影した画像を容易に確認することができる。
【０１５８】
データ入力機においては、ユーザはバーコードリーダ２０３を用いてバーコードの読取を行なわせる。これにより、サーバ１００から通信部２０５を介して画像データを呼出すことができる。ユーザは、この画像データに対して入力部２０９を介して氏名、撮影日時、誕生日などのデータを付加することができる。付加されたデータは、通信部２０５を介してバーコードに対応づけてサーバ１００に記憶される。
【０１５９】
図３２は、本システムにおける画像の撮影から印刷までの一連の手順を示すフローチャートである。
【０１６０】
図３２を参照して、ステップＳ１０１においてユーザが撮影機にコインを投入し、ステップＳ１０３で画像の撮影を行なう。ステップＳ１０５で撮影された画像はサーバに記録される。撮影機においては、ステップＳ１０７で画像を特定するための情報（バーコード）を記録した媒体が出力される。ユーザは、この出力された媒体を持って、印刷装置（プリント機）の場所に向かう。ステップＳ１１１において、ユーザはプリント機にコインを投入し、ステップＳ１１３で媒体を介して装置に画像を特定するための情報を入力する。
【０１６１】
これにより、サーバからその情報に対応した画像が呼出される。ステップＳ１１５でユーザは呼出された画像に対しタッチペンを用いて画像の加工または画像の入力（お絵描き）を行なう。ステップＳ１１７において、ユーザは印刷のレイアウトを選択する。これにより、ステップＳ１１９で印刷が行なわれる。
【０１６２】
このように、本実施の形態においてはバーコードなどの情報が記録された媒体を用いて画像の特定を行なうようにしているため、撮影機とプリント機とを離して設置することができる。これにより、装置を設置するスペースを有効活用することができる。また、撮影機やプリント機などは単体として機能するため、１つの装置が故障したり古くなったりしたときには、その装置のみを交換すればよく、コストパフォーマンスが良くなる。
【０１６３】
さらに、たとえば１つの店舗において撮影機のみを設け、別の店舗においてプリント機などを設置するようにすることができる。
【０１６４】
なお、本実施の形態においては画像の特定のためにバーコードが書かれた媒体を用いることとしたが、たとえば画像を特定するための情報を磁気カードなどの媒体に磁気的に記録するようにしてもよい。さらに媒体として、ＣＤ−Ｒ、ＰＤ、ＤＶＤ、ＭＯなどの光ディスク、フラッシュメモリカードなどを用いてもよい。また、媒体に撮影日時、媒体の有効期限などを書込むようにしてもよい。
【０１６５】
また、バーコードとしては１次元のものを使ってもよいし、２次元バーコードを使ってもよい。
【０１６６】
また、磁気カードなどの媒体を用いる場合、撮影機内に磁気カードなどを多数ストックし、ユーザに供給するようにしてもよいし、専用の販売機で磁気カードを提供することもできる。このような磁気カードはシステム使用のための対価を支払うためのプリペイドカードと兼用することもできる。
【０１６７】
また、磁気カードに複数の種類を持たせ（たとえばカード間で異なるキャラクタをプリントしておくなど）、その種類に応じて撮影時に合成する画像などを変化させるようにしてもよい。
【０１６８】
また、サーバに画像を記録せず、フレキシブルディスクなどの磁気記録媒体、ＣＤ−Ｒ、ＰＤ、ＤＶＤ、ＭＯなどの光ディスク、フラッシュメモリカードなどに画像を記録し、それをユーザに提供するようにしてもよい。この場合、撮影機とプリント機とを接続する必要がなくなる。
【０１６９】
図３３は、このようにフレキシブルディスクなどの記録媒体に画像を記憶する場合のシステムの処理を示すフローチャートである。
【０１７０】
図を参照して、ステップＳ２０１で、ユーザは記録媒体を予め準備しておく。ステップＳ２０３で撮影機に対してユーザはコインを投入する。ステップＳ２０５でユーザは記録媒体を撮影機に設けられたディスクドライブに入れる。
【０１７１】
ステップＳ２０７で撮影が行なわれると、撮影機はステップＳ２０９で画像データをユーザの記録媒体に書込む。ユーザは、ステップＳ２１１で記録媒体を取出し、プリント機の設置されている場所へ行く。
【０１７２】
ステップＳ２１３でユーザはプリント機にコインを投入し、ステップＳ２０５で記録媒体をセットする。プリント機においては、ステップＳ２１７で記録媒体から撮影画像の読込が行なわれる。ステップＳ２１９でユーザが画像の加工を行ない、ステップＳ２２１で印刷のレイアウトを選択すると、ステップＳ２２３で画像の印刷が行なわれる。
【０１７３】
［他の実施の形態］
図３４は、撮影機の他の形態を示す図である。この形態においては、カメラにレリーズ４０１またはフットスイッチ４０３が設けられており、ユーザはこれを操作することで好みの画像を撮影することができる。
【０１７４】
図３５は、プリント機の他の形態を示す外観図である。図２９の例においてはディスプレイ３０１ａ，３０１ｂを左右に並べることとしたが、本実施の形態においては、ディスプレイ３０１ａ，３０１ｂを筐体の前部分と後部分とに設けるようにしている。これにより、２人のユーザが向かい合って画像の加工または入力を行なうことができる。なお、このときプリンタから出力された写真を排出する場所は筐体の前面にあってもよいし、後面にあってもよいし、側面にあってもよい。
【０１７５】
また、撮影機をユーザの自宅のパソコンとデジタルカメラなどで構成することもできる。
【０１７６】
図３６は、撮影機をユーザの自宅のパソコンとデジタルカメラとで構成した場合のシステムの処理を示すフローチャートである。
【０１７７】
まず、ステップＳ４０１でユーザはパソコンを用いて、デジタルカメラで撮影された画像をサーバ１００にアップロードする。このとき、ステップＳ４０３でサーバ１００から受付番号がユーザのパソコンに対して送信される。
【０１７８】
その後店舗でステップＳ４０５において受付番号に基づきバーコードがプリントされる。ステップＳ４０７においてユーザはバーコードを店舗のプリント機で読取らせることにより、任意の媒体に画像をプリントすることができる。
【０１７９】
なお、上述の実施の形態においては、画像を特定するための情報として撮影機により特定されたバーコードなどを用いることとしたが、ユーザがＩＤやパスワードなどを決定し、撮影機に入力することで画像を特定するための情報とするようにしてもよい。すなわち、ユーザは撮影時に撮影機にＩＤやパスワードなどを入力し、プリント時にはプリント機にこれらのＩＤやパスワードなどを入力することにより画像を呼出しプリントを行なうものである。
【０１８０】
また、指紋認証、文字認識、暗号技術を用いることにより、撮影機で撮影された画像とプリント機でプリントされる画像とを対応づけるようにしてもよい。
【０１８１】
［第３の実施の形態］
図３７は、本発明の第３の実施の形態における撮影システムの全体構成を示す図である。
【０１８２】
図を参照して、撮影システムは、撮影機５０１，５０３と、円筒形の撮影機５０５と、データ入力機５０７，５０９と、印刷機５１１と、画像閲覧機５１３と、画像入力機５１５と、店舗内サーバ５２１とを備えており、それらはＨＵＢ５１９を介してＬＡＮで接続されている。また、店舗内サーバ５２１は、ルータ５２３を介して外部ネットワーク（例えばインターネットなどの電気通信回線）に接続されている。
【０１８３】
また、通信により、店舗内サーバ５２１は、携帯電話５２５やＰＤＡ(Personal Digital Assistant)５２７や持ち運び可能な画像入力機５１７へ画像その他の情報を送信したり、逆に情報を受取ったりすることができる。
【０１８４】
ネットワークには、画像データの配信管理を行なうシステムサーバ５５５、パーソナルコンピュータ５６１、およびルータ５５７を介した他店舗サーバ５５９が接続されている。また、ネットワークを介して携帯電話５５１やＰＤＡ５５３へ情報を送信することも可能である。
【０１８５】
本実施の形態における撮影システムにおいても、写真を撮影する撮影機、ユーザが画像を入力するデータ入力機、プリントを行なう印刷機、画像の閲覧を行なう閲覧機が離れた位置にあるため、撮影の終わったユーザが長時間同じ場所に留まることがなくなる。これにより、効率的に写真撮影、画像入力およびプリントを行うことが可能である。
【０１８６】
図３８は、撮影機５０１の外観構成を示す図である。撮影機５０１は、第１の実施の形態における撮影ＢＯＸと同様にカメラ２５３を備えている。カメラ２５３は、時計方向および反時計方向に回動自在に取付けられており、また、レール上を上下に異動することができる。これにより、カメラの所望の向き、所望の位置で写真を撮影することが可能である。また、被写体を照らすためのフラッシュＦが撮影機５０１の前面に複数設けられている。
【０１８７】
また、第１の実施の形態における撮影ＢＯＸ（Ｂ）と同様に、撮影機５０１には、ＩＤをカードに記録を行なうための磁気カードリーダ／ライタ２６３と、ＩＤをバーコードとしてプリントするバーコードプリンタ２６５と、撮影により得られた画像をＣＤ−ＲＯＭ、ＩＣカード、ハードディスクカード、フレキシブルディスクなどのメディアに書込むためのメディア書込部２６７とが備えられている。
【０１８８】
図３９は、円筒形撮影機５０５の構成を示す図である。円筒形撮影機５０５は、内部に円筒軸を中心軸として３６０度回転可能なカメラ２５３を備えている。ユーザは、カメラ２５３を回転させることで、好みの位置で写真を撮影することができる。特に、円筒形に構成される壁の内面の各所に様々な色彩、模様、背景を付し、ユーザが好みのものをバックに写真を撮影できるようにすると効果的である。
【０１８９】
なお、図示しないが、円筒形撮影機５０５にも、ＩＤをカードに記録するための磁気カードリーダ／ライタと、ＩＤをバーコードとしてプリントするバーコードプリンタと、撮影により得られた画像をＣＤ−ＲＯＭ、ＩＣカード、ハードディスクカード、フレキシブルディスクなどのメディアに書込むためのメディア書込部とが備えられている。
【０１９０】
図４０は、図３７のデータ入力機５０７の外観構成を示す図である。データ入力機５０７には、第１の実施の形態における落書きＢＯＸと同様に、撮影機により発行された磁気カードからＩＤを読取る、磁気カードリーダ／ライタ３５７と、撮影機により発行されたバーコードを読取るバーコードリーダ３５９と、ユーザの用意したメディアを読取るメディア読取部３６１と、サーバ５２１から読出された画像およびユーザにより入力された落書き画像を表示するディスプレイと、ディスプレイの上に重ねて設けられるタッチパネルと、タッチパネルへの入力を行なうためのタッチペンとが設けられている。
【０１９１】
ただし、データ入力機５０７には、第１の実施の形態における落書きＢＯＸと異なり、プリンタが設けられていない。すなわち、データ入力機５０７においてはユーザは重ね合せる画像その他のデータの入力を行なうのみである。
【０１９２】
図４１は、図３７の画像閲覧機５１３の外観を示す斜視図である。画像閲覧機は第２の実施の形態における表示機５０１に対応する機械である。ただし、本実施の形態においては画像閲覧機には４方向にディスプレイが設けられており、４人で同時に（同じ画像または異なる画像を）閲覧することができる。
【０１９３】
図４２は、図３７の印刷機５１１の構成を示す斜視図である。図を参照して、印刷機５１１には、第１の実施の形態における落書きＢＯＸ１６３と同様に、撮影機により発行された磁気カードからＩＤを読取る、磁気カードリーダ／ライタ３５７と、撮影機により発行されたバーコードを読取るバーコードリーダ３５９と、ユーザの用意したメディアを読取るメディア読取部３６１と、画像が印刷されたシール、カードなどの印刷媒体を出力するプリンタ３５５ａ，３５５ｂと、印刷媒体の取出口とが設けられている。
【０１９４】
ただし、印刷機５１１には、第１の実施の形態における落書きＢＯＸ１６３と異なり、画像を表示するディスプレイやタッチパネルは設けられていない。すなわち、ユーザはこの印刷機で印刷を行なうのみである。
【０１９５】
図４３は、図３７の持ち運び可能な画像入力機５１７の斜視図である。
ユーザはこのような持ち運び可能な画像入力機５１７を用いても撮影された画像に重ね合せる画像を入力することができる。
【０１９６】
図４４は、図３７の画像入力機５１５の構成を示す斜視図である。
図を参照して、画像入力機には、撮影機により発行された磁気カードからＩＤを読取る、磁気カードリーダ／ライタ３５７と、撮影機により発行されたバーコードを読取るバーコードリーダ３５９と、ユーザの用意したメディアを読取るメディア読取部３６１と、コイン投入口２５５と、コイン返却口２８３と、ファイルサーバ１５５から読出された画像およびユーザにより入力された落書き画像を表示するディスプレイ３５１と、ディスプレイの上に重ねて設けられるタッチパネル３５２と、タッチパネルへの入力を行なうためのタッチペン３５３ａ，３５３ｂと、画像が印刷されたシール、カードなどの印刷媒体を出力するプリンタ３５５とが設けられている。
【０１９７】
図４５は、データ入力機の他の形態を示す図である。
図を参照して、データ入力機には、撮影機により発行された磁気カードからＩＤを読取る、磁気カードリーダ／ライタ３５７と、撮影機により発行されたバーコードを読取るバーコードリーダ３５９と、ユーザの用意したメディアを読取るメディア読取部３６１と、コイン投入口と、コイン返却口と、サーバから読出された画像およびユーザにより入力された落書き画像を表示するディスプレイと、ディスプレイの上に重ねて設けられるタッチパネルと、タッチパネルへの入力を行なうためのタッチペンとが設けられている。
【０１９８】
また、図４６に示されるように、図３５と同様に、データ入力機を対面型とすることもできる。
【０１９９】
なお、メディア読取部は、撮影機に設けるようにしてもよい。
なお、他の発明として以下の構成が考えられる。
【０２００】
（１）  ユーザから画像を特定するためのＩＤ情報を入力する入力手段と、
前記入力されたＩＤ情報に基づいて、対応する画像をサーバから受信する受信手段と、
前記受信された画像を印刷媒体にプリントする第１プリント手段と、
前記ＩＤ情報を２以上の情報に分割する分割手段と、
前記印刷媒体に、前記分割手段により分割された２以上の情報をそれぞれ異なる位置にプリントする第２プリント手段とを備えた、プリント装置。
【０２０１】
（２）  ユーザから画像を特定するためのＩＤ情報が記録されたカードを受領する受領手段と、
前記受領されたカードからＩＤ情報を読出す読出手段と、
前記読出されたＩＤ情報に基づいて、対応する画像をサーバから受信する受信手段と、
前記受信された画像を印刷媒体にプリントするプリント手段と、
前記受領されたカードを返却せずに回収する回収手段とを備えた、プリント装置。
【０２０２】
（３）  ユーザから画像を特定するためのＩＤ情報を入力する入力手段と、
前記入力されたＩＤ情報に基づいて、対応する画像をサーバから受信する受信手段と、
画像を印刷媒体にプリントする第１プリント手段と、
画像を印刷媒体にプリントするプリント手段であって、前記第１プリント手段とは異なる特性を有する第２プリント手段と、
前記受信された画像を前記第１プリント手段でプリントするか、前記第２プリント手段でプリントするかを選択する選択手段とを備え、
前記選択手段の選択結果に基づき、前記第１プリント手段または前記第２プリント手段で前記受信された画像のプリントを行うことを特徴とする、プリント装置。
【０２０３】
（４）  前記選択手段は、ユーザの入力に基づいて選択を行なう、（３）に記載のプリント装置。
【０２０４】
（５）  画像が撮影されたカメラの種類を特定する特定手段をさらに備え、
前記選択手段は、前記特定手段により特定されたカメラの種類に基づいて選択を行なう、（３）に記載のプリント装置。
【０２０５】
（６）  ユーザから画像を特定するためのＩＤ情報が記録されたカードを受領する受領手段と、
前記受領されたカードからＩＤ情報を読出す読出手段と、
前記読出されたＩＤ情報に基づいて、対応する画像をサーバから受信する受信手段と、
前記受信された画像を印刷媒体にプリントするプリント手段と、
前記プリントのための対価を受領する対価受領手段とを備え、
前記ＩＤ情報が記録されたカードは対価支払いの機能を有しており、
前記対価受領手段は、前記ＩＤ情報が記録されたカードを用いて前記プリントのための対価を受領する、プリント装置。
【０２０６】
（７）  ユーザから、画像を特定するためのＩＤ情報を記録するカードを受領する受領手段と、
被写体を撮影するためのカメラと、
前記カメラにより撮影された画像を前記ＩＤ情報とともにデータとして記録する記録手段と、
前記撮影のための対価を受領する対価受領手段とを備え、
前記ＩＤ情報を記録するカードは対価支払いの機能を有しており、
前記対価受領手段は、前記ＩＤ情報を記録するカードを用いて前記撮影のための対価を受領する、撮影装置。
【０２０７】
（８）  ユーザから画像を特定するためのＩＤ情報が記録されたカードを受領する受領手段と、
前記受領されたカードからＩＤ情報を読出す読出手段と、
前記読出されたＩＤ情報に基づいて、対応する画像をサーバから受信する受信手段と、
前記受信された画像を表示する表示手段と、
前記表示された画像に合成する画像をユーザから入力する入力手段と、
画像合成のための対価を受領する対価受領手段とを備え、
前記ＩＤ情報が記録されたカードは対価支払いの機能を有しており、
前記対価受領手段は、前記ＩＤ情報が記録されたカードを用いて前記画像合成のための対価を受領する、画像入力装置。
【０２０８】
（９）  被写体を撮影する撮影装置と、前記撮影装置とは異なる場所に設置されるプリント装置とからなる写真撮影システムであって、
前記撮影装置は、
撮影のための対価を受領する対価受領手段と、
前記対価受領手段による対価の受領が行なわれた後に、被写体を撮影するカメラと、
前記カメラにより撮影された画像を、画像を特定するためのＩＤ情報とともにサーバへ送信する送信手段とを備え、
前記プリント装置は、
前記プリントのための対価を受領する対価受領手段と、
ユーザから画像を特定するためのＩＤ情報を入力する入力手段と、
前記入力されたＩＤ情報に基づいて、対応する画像を前記サーバから受信する受信手段と、
前記対価受領手段による対価の受領が行なわれた後に、前記受信された画像を印刷媒体にプリントするプリント手段とを備えた、写真撮影システム。
【０２０９】
（１０）  被写体を撮影するためのカメラと、
前記カメラにより撮影された画像をデータとして保持する保持手段と、
前記保持手段により保持されたデータを特定するための情報をユーザに対して出力する出力手段とを備えた、撮影装置。
【０２１０】
（１１）  前記出力手段は、バーコードがプリントされた媒体を出力する、（１０）に記載の撮影装置。
【０２１１】
（１２）  前記出力手段は、磁気記録媒体、光ディスクまたはメモリカードに情報を記録して出力する、（１０）に記載の撮影装置。
【０２１２】
（１３）  被写体を撮影するためのカメラと、
前記カメラにより撮影された画像をデータとして保持する保持手段と、
前記保持手段により保持されたデータを特定するための情報をユーザから受取る受取手段とを備えた、撮影装置。
【０２１３】
（１４）  保持手段により保持されたデータを特定するための情報を読取る読取手段と、
前記読取手段により読取られたデータを特定するための情報に基づいて、所定の画像を読出す読出手段と、
前記読出手段により読出された画像をプリントするプリント手段とを備えた、プリント装置。
【０２１４】
（１５）  保持手段により保持されたデータを特定するための情報を読取る読取手段と、
前記読取手段により読取られたデータを特定するための情報に基づいて、所定の画像を読出す読出手段と、
前記読出手段により読出された画像を加工する加工手段とを備えた、画像加工装置。
【０２１５】
（１６）  保持手段により保持されたデータを特定するための情報を読取る読取手段と、
前記読取手段により読取られたデータを特定するための情報に基づいて、所定の画像を読出す読出手段と、
前記読出手段により読出された画像に、入力された情報を付加する手段とを備えた、画像加工装置。
【０２１６】
（１７）  撮影装置とプリント装置とからなる撮影システムであって、
前記撮影装置と前記プリント装置とは別の場所に設けられ、
前記撮影装置により撮影された画像を、その画像を特定するための情報とともに保持し、
前記プリント装置において、前記画像を特定するための情報に基づいて画像を読出し、プリントを行なうことを特徴とする、撮影システム。
【０２１７】
（１８）  被写体を撮影するステップと、
前記撮影された画像をデータとして保持するステップと、
前記保持されたデータを特定するための情報をユーザに対して出力するステップとを備えた、撮影方法。
【０２１８】
（１９）  被写体を撮影するステップと、
前記撮影された画像をデータとして保持するステップと、
前記保持されたデータを特定するための情報をユーザから受取るステップとを備えた、撮影方法。
【０２１９】
（２０）  保持手段により保持されたデータを特定するための情報を読取るステップと、
前記読取られたデータを特定するための情報に基づいて、所定の画像を読出すステップと、
前記読出された画像をプリントするステップとを備えた、プリント方法。
【０２２０】
（２１）  保持手段により保持されたデータを特定するための情報を読取るステップと、
前記読取られたデータを特定するための情報に基づいて、所定の画像を読出すステップと、
前記読出された画像を加工するステップとを備えた、画像加工方法。
【０２２１】
（２２）  保持手段により保持されたデータを特定するための情報を読取るステップと、
前記読取られたデータを特定するための情報に基づいて、所定の画像を読出すステップと、
前記読出された画像に、入力された情報を付加するステップとを備えた、画像加工方法。
【０２２２】
（２３）  被写体を撮影する撮影装置と、
前記撮影装置とは異なる場所に設置され、前記撮影装置から撮影画像データを受取り、それを表示し、ユーザによる画像の入力を受付ける画像入力装置と、
前記撮影装置および前記画像入力装置とは異なる場所に設置され、前記画像入力装置から画像データを受取り、プリントするプリント装置とを備えた、写真撮影システム。
【０２２３】
（２４）  前記撮影装置で撮影された被写体の画像を特定するためのＩＤを記憶する記憶手段をさらに備え、
前記画像入力装置および前記プリント装置においてＩＤを入力し、前記記憶手段に記憶されたＩＤと照会することで、受取る画像データを特定することを特徴とする、（２３）に記載の写真撮影システム。
【０２２４】
（２５）  （２３）または（２４）に記載の写真撮影システムによりプリントされた、印刷媒体。
【０２２５】
（２６）  被写体を撮影する撮影装置と、
前記撮影装置とは異なる場所に設置され、前記撮影装置から撮影画像データを受取り、それを表示し、ユーザによる画像の入力を受付ける画像入力装置と、
前記撮影装置および前記画像入力装置とは異なる場所に設置され、前記画像入力装置から画像データを受取り、プリントするプリント装置とを備えた、写真撮影システムの制御プログラムであって、
前記撮影装置で撮影を行なうステップと、
前記画像入力装置において、前記撮影された画像を表示し、ユーザによる画像の入力を受付けるステップと、
前記プリント装置において、前記画像入力装置から画像データを受取り、プリントするステップとをコンピュータに実行させることを特徴とする、写真撮影システムの制御プログラム。
【０２２６】
なお、上述の実施の形態においてプリンタの印刷媒体がなくなったときやインクフィルム（インクリボンなど）がなくなったときには、警告処理を行ない、ユーザに対してプレイを中断し、装置の保守を行なう者に対しその旨通知することが望ましい。
【０２２７】
また、第１の実施の形態における落書きＢＯＸにおいては２台のプリンタを用いることとしたが、１台のプリンタが故障、用紙切れなどにより使用不可能となったときには、他方のプリンタでプリントを行なうようにすることが可能である。
【０２２８】
また、図１５の例では、装置の正面に対してプリンタを右方向に設けることとしたが、店舗内のレイアウトなどに応じてプリンタを左方向にも取付け可能となるようにしてもよい。また、ユーザが右にプリンタを取付けるか、左にプリンタを取付けるかを自分で選択できるように装置を構成することが望ましい。
【０２２９】
なお、撮影装置としてはＣＣＤデジタルカメラ、ＣＭＯＳデジタルカメラ、ビデオカメラ、一眼レフデジタルカメラなどを用いることができる。
【０２３０】
また、プリンタとしてはレーザプリンタ、インクジェットプリンタ、ＬＥＤプリンタ、昇華型熱転写プリンタ、溶融型熱転写プリンタ、サーマルプリンタなどを用いることができる。
【０２３１】
また、ＩＤ情報、プログラム、データなどを記録するための記録媒体としては、磁気カード、フレキシブルディスクその他の磁気記録媒体、ＣＤ−Ｒ、ＰＤ、ＤＶＤ、ＭＯなどの光ディスク、コンパクトディスク、スマートメディア、ＳＤカード、メモリスティックなどの小型フラッシュメモリカードを用いることができる。
【０２３２】
また、画像に対応するＩＤ情報は、紙やシールなどの媒体へ仮名、英字、数字、記号などとして印字したり、バーコードとして印字するようにしてもよい。
【０２３３】
また、撮影装置とプリント装置との間を接続するためには、ＬＡＮを用いてもよいし、ＷＡＮ、公衆回線、ＳＣＳＩ、ＩＤＥ、ＵＳＢ、ＩＥＥＥ１３９４、パラレル、ＲＳ−２３２Ｃ、ＩｒＤＡ、Bluetoothなどのインターフェイスを用いるようにしてもよい。
【０２３４】
また、上述の実施の形態においてはＩＤを用いて画像を取得することとしたが、暗号技術、指紋認証、文字認識、パスワード入力などにより画像を特定するようにしてもよい。また、ＩＤは、英数字、仮名、記号などを用いることができ、ユーザが決定してもよいし、システム側で決定してもよい。
【０２３５】
なお、ＩＤ情報は撮影した画像ファイルのファイル名に関連付けて作成してもよい。
【０２３６】
ＩＤ情報としては、たとえば撮影日、プレイ回数、撮影回数、機械番号、プリンタ番号、サーバ番号、暗証番号などを用いることができる。
【０２３７】
また、ＩＤ情報は撮影毎の画像を特定するための情報としてもよいし、複数回の撮影を１つにまとめた群を特定するための情報としてもよい。
【０２３８】
また、上述のフローチャートなどにより示される処理をコンピュータに実行させるためのプログラムを提供してもよいし、当該プログラムを上述の記録媒体に記録させて提供することもできる。
【０２３９】
なお、上述の実施の形態において画像を外部サーバに送信したり、外部サーバからデータまたはプログラムをファイルサーバ側に送信するためには、各機器を常時ネットワークに接続させておくことが望ましい。
【０２４０】
常時接続の方法としては、たとえばＯＣＮエコノミーなどの専用線サービス、ＮＴＴが提供する定額制のフレッツＩＳＤＮ、フレッツＡＤＳＬ、Ｂフレッツ、その他接続業者が提供するｘＤＳＬサービス（たとえばYahooが提供するYahooBBなど）、ＣＡＴＶを利用した接続、衛星を使った接続サービス、無線を使った接続サービス（たとえばケイオプティコムが提供するＥＯサービスなど）が挙げられる。
【０２４１】
しかし、常時接続した状態では、第三者からのサーバへのアタックの危険性が高くなり、画像の改ざんや漏洩などが問題となる。そのために、セキュリティ対策をシステム上に構築するのが望ましい。
【０２４２】
セキュリティ対策としては、プロキシサーバなどのアプリケーションによるゲートウェイ、ルータなどネットワーク端末でのパケットフィルタリング、サーキットレベルでのゲートウェイなど、それらを少なくとも１つ組合わせたファイアウォールをシステム上に構築する方法や、暗号・認証技術として知られているインターネットＶＰＮ（Virtual Private Network）技術などが挙げられる。
【０２４３】
また、システム上の異常を事前に認知できるように、プロトコルＳＮＭＰ（Simple Network Management Protocol）を使った異常警告システム、遠隔監視システムを採用することが、さらに望ましい。
【０２４４】
また、システムの故障による障害発生時にも画像データの破損を防ぐために、システムにはバックアップ装置を設けることが望ましい。バックアップ装置としては、ＲＡＩＤ０、ＲＡＩＤ１、ＲＡＩＤ２、ＲＡＩＤ３、ＲＡＩＤ４、ＲＡＩＤ５などのＲＡＩＤシステムが挙げられる。これらのシステムで使用されるハードディスクとしては、ＳＣＳＩやＩＤＥなどのインターフェイスを用いることができる。
【０２４５】
また、停電や強制的に電源を切られた場合などのために、各装置には無停電電源装置（ＵＰＳ）を設け、電源ＯＦＦ時の処理を正常に行なえるようになっていることが望ましい。
【０２４６】
また、写真撮影、画像入力、印刷などの処理を実行するためのプログラムおよび関連するデータはすべてサーバ上に記録するようにしてもよい。すなわち、写真を撮影したり、画像を入力したり、プリントを行なう装置はハードディスクを内蔵せず、必要なときにプログラムや関連するデータをサーバ上のハードディスクからダウンロードしてメモリに読込み、実行するのである。これにより、写真撮影装置などの内部にハードディスクを用いないで済むため、各装置の内蔵ハードディスクの不具合で起きるトラブルを防止することができる。特に、サーバにおいては信頼性の高いハードディスクを用い、事故が生じないようにすると、ハードディスクのトラブルを事前に防ぐことができ、便利である。
【０２４７】
また、このようなシステムにおいてはサーバ側でソフトウェアやデータを更新するだけで、すべての装置において最新ソフトを使えるというメリットもある。
【０２４８】
また、ＩＰｖ６（ＩＰバージョン６）の技術を用いると、各装置のカメラ、プリンタ、表示装置などの機器にＩＰを割振ることで、サーバからこれらの機器を直接制御することができる。既に、ＩＰを割当てることが可能なネットワークプリンタや、監視カメラ、防犯カメラの分野におけるネットワークカメラ（ＩＰカメラ）が現実化しているため、それらを写真自動販売機で用い、ＩＰ制御を行なうのである。
【０２４９】
また、上述の実施の形態においては撮影装置、画像入力装置（落書きＢＯＸ）、プリント装置等を接続することとしたが、各装置を複数種類設け、ネットワークに複数種類の撮影装置、複数種類の画像入力装置、複数種類のプリント装置を接続するようにしてもよい。このようにすると、ユーザは自分の好みの装置を選択して用いることができるため、遊戯のバリエーションが広がる。
【０２５０】
なお、店内における各機器の接続においては無線ＬＡＮの技術を用いてもよい。
【０２５１】
さらに、図２に示される撮影装置（撮影ＢＯＸ（Ａ））を、図４７に示される装置のように構成してもよい。図４７においては、装置の天井部分に鏡Ｍが設けられている。このようにすると、カメラ２５３をユーザが上（鏡Ｍの方向）に向けて撮影することにより、天井から下を見下ろした構図で撮影を行なうことができるため、撮影のバリエーションが広がる。
【０２５２】
また、この天井部分に設けられた鏡Ｍを凹面鏡にしたり、凸面鏡にしたりすることで、画角を変えることができる。
【０２５３】
なお、撮影装置、画像入力装置、プリント装置のそれぞれに音声出力装置を設け、それぞれで異なる音声を出力するようにしてもよい。出力する音声としては、音楽、機器の操作説明、エラーの通知などが挙げられる。
【０２５４】
［「こだわりモード」についての説明］
上述の図１４に関する説明において、写真撮影装置の「こだわりモード」で、ユーザはライティングの方法（どの方向から光を当てるか、どの程度の強さの光を当てるかなど）を選択して撮影を行なうことができる旨述べたが、以下にその詳細を説明する。
【０２５５】
写真撮影装置においては、撮影時の照明を当てる方向と、カメラの設定値（たとえばシャッタスピードや絞り値）と（必要に応じて照明の強さと）の組合せが複数記憶されており、これによりいくつかの撮影方法がユーザに対して提示可能とされている（たとえば５種類）。
【０２５６】
さらに、写真撮影装置は、上述の複数の撮影方法のそれぞれで得られる撮影結果をイメージできる画像を記憶しており、撮影前のユーザにそれらを提示し（具体的にはディスプレイに表示するなど）、ユーザに所望の画像を選択させる。ユーザが画像の中から好みの画像を選択することにより、それに対応するライティングの方法やカメラの設定値が選択される。
【０２５７】
写真撮影装置は、その選択に基づき、どのライトをどの程度の明るさで発光させるのか、またはライトの駆動機構が付いている場合にはライトの照明方向をどの方向とするのかなどを決定する。これに基づき、ライトの制御が行なわれる。
【０２５８】
また、同時にユーザの選択に基づき、カメラに対してシャッタスピードや絞り値などの設定が行なわれる。その後、設定された条件の下で撮影が行なわれる。
【０２５９】
ライティング方法における照明を当てる方向の設定方法として、たとえば以下のものが考えられる。
【０２６０】
（１）  カメラの位置を基準に、右側のみから光を当てるライト、左側のみから光を当てるライト、中央部のみから光を当てるライト、上側のみから光を当てるライトを装置に設け、それらの少なくとも１つを発光させることで、照明を行なう。どのライトを点灯させるかにより、照明を当てる方向が設定される。
【０２６１】
（２）  ライトの方向を変える駆動機構を設け、それを駆動させることで照明を当てる方向が設定される。
【０２６２】
たとえば、ユーザが撮影対象である人物の右側のみから照明を当てる撮影方法を選んだ場合には、右側からだけ光が当ることになり、グラビア写真のように趣きのある撮影結果が得られる。
【０２６３】
また、設定可能なカメラの絞り値として、たとえばＦ２〜Ｆ９（たとえばＦ２．８、Ｆ４、Ｆ５、Ｆ５．６、Ｆ７、Ｆ８、Ｆ９など）の範囲を用いることが考えられる。カメラの絞り値を変えることにより、ライティングの方法が同じでも、影の付き方の強弱、奥行き感などの異なる撮影結果が得られるため、さらに細かい撮影を行なうことが可能となる。
【０２６４】
上述のように装置を構成することで、ライティングをユーザが任意に選択できるという効果だけではなく、以下のような効果が得られる。すなわち、撮影結果のイメージ画像を表示し、その中から所望のものをユーザに選択させ、ライティング方法などを決定することで、ユーザは直接にライティング方法を選択するのではなく、間接的に選択を行うことができる。これにより、ユーザは専門的なライティングの知識がなくても自分の好みの設定を行なうことができる。
【０２６５】
すなわち、直接ライティングの方法をユーザが指定できるようにしても、どのような写真ができるかユーザにとってわからないことが多い。しかしながら、本構成によると、出来上がりの写真のイメージを選択することで設定ができるため、専門知識のないユーザでも設定ができるのである。
【０２６６】
なお、撮影結果のイメージ画像としては、１人の被写体を表示したグラビア写真風の画像、カップルでのムードのある画像、複数の友人同士の記念写真画像、服装の色が映えるような画像など人数や服装に応じたものを用意することが考えられる。
【０２６７】
なお、ユーザがライティングの方法やカメラの設定値を直接入力できるように装置を構成してもよい。
【０２６８】
［第４の実施の形態］
図４８は、本発明の第４の実施の形態における写真撮影システムの構成を示すブロック図である。
【０２６９】
図を参照して、撮影システムは、第１の実施の形態と同様に、撮影ＢＯＸ（Ａ）１５９と、撮影ＢＯＸ（Ｂ）１６１と、ＨＵＢ１５７と、ファイルサーバ１５５とを備えている。また、本実施の形態においては、ファイルサーバ１５５に、ネットワークに接続されている機器（筐体）の状況を１箇所で確認するためのディスプレイ装置１５５ａが接続されている。さらに、本実施の形態においてはネットワークに２種類の落書きＢＯＸ（Ａ）１６３ａおよび落書きＢＯＸ（Ｂ）１６３ｂが接続されている。
【０２７０】
ＨＵＢ１５７には、ルータ５２３が接続されており、ルータ５２３は、インターネットなどのネットワーク１５３を介して、パーソナルコンピュータ（外部端末）５６１に接続される。パーソナルコンピュータ５６１には、ディスプレイ装置５６１ａが接続されている。ディスプレイ装置５６１ａにおいても、撮影ＢＯＸ（Ａ）１５９、撮影ＢＯＸ（Ｂ）１６１、落書きＢＯＸ（Ａ）１６３ａ、および落書きＢＯＸ（Ｂ）１６３ｂの状況を確認するための情報が表示される。
【０２７１】
すなわち、本実施の形態においてはファイルサーバ１５５、およびネットワークに接続された外部のパーソナルコンピュータ５６１から、システムの各機器の状況が把握できるように装置が構成されている。情報の表示の方法は、文字、アイコン、コードなどを用いることが可能である。また、各機器の情報の入手方法は、各機器からファイルサーバ１５５へ情報を通知する方法を用いてもよいし、ファイルサーバ１５５から各機器にアクセスし、情報を吸い上げるようにしてもよい。情報の入手は、リアルタイムで行なうようにしてもよいし、定期間隔ごとに行なうようにしてもよい。また、それらの取得された情報をファイルサーバ１５５に蓄えておき、履歴（ログ）をディスプレイ装置１５５ａ，５６１ａに表示するようにしてもよい。
【０２７２】
より詳細に、ディスプレイ装置１５５ａ，５６１ａに表示される内容について以下に述べる。
【０２７３】
撮影ＢＯＸ（Ａ）１５９および撮影ＢＯＸ（Ｂ）１６１に関する情報として、装置の稼働情報（正常動作中、非動作中（電源ＯＦＦ）など）、エラー情報（カメラ異常発生、磁気カード切れ、照明装置異常、コイン装置異常など）、およびプレイ情報（インカム情報、プレイ回数など）が表示される。
【０２７４】
落書きＢＯＸ（Ａ）１６３ａ，落書きＢＯＸ（Ｂ）１６３ｂに関しては、稼働情報（正常動作中、非動作中（電源ＯＦＦ）など）、エラー情報（プリンタ異常発生、磁気カードエラー、プリンタ用紙切れ、プリンタインク切れ、コイン装置異常など）、およびプレイ情報（インカム情報、プレイ回数など）が表示される。
【０２７５】
図４９は、ディスプレイ装置１５５ａ，５６１ａにおける表示画面の具体例を示す図である。
【０２７６】
図４９を参照して、ここでは、撮影ＢＯＸ（Ａ）の状態として、当該装置が正常に動作していることと、撮影ＢＯＸ（Ｂ）においてカメラに異常が生じたことが表示されている。また、落書きＢＯＸ（Ａ）においても異常が発生し、その異常の内容を示すコードが表示されている。また、落書きＢＯＸ（Ｂ）においては電源がＯＦＦとなっていることが表示されている。
【０２７７】
システムの管理を行なう者は、このディスプレイ装置１５５ａ，５６１ａの画面を見ることで、ネットワークに接続されている装置の状況を把握することができる。
【０２７８】
図５０は、ディスプレイ装置１５５ａ，５６１ａに表示される履歴ログ画面の具体例を示す図である。
【０２７９】
図を参照して、この画面においては撮影ＢＯＸ（Ａ）の動作状況の履歴が表示されている。具体的には、年月日と時間に対応づけて、装置の状況が記録されている。システムの管理者はこの履歴ログを見ることで、装置の状況の変化を知ることが可能となる。
【０２８０】
［第５の実施の形態］
第５の実施の形態における撮影システムのハードウェア構成は第１の実施の形態におけるそれと同じであるためここでの説明は繰返さない。第５の実施の形態においては、図２０のステップＳ７５７の処理（ユーザからのパスワードの入力処理）の間に、規定時間（たとえば１５秒）入力がなければ、ステップＳ７５１のデモ画面の表示に戻る。上記規定時間経過の判定は、カウントダウンで行なう場合（たとえば１５秒から１秒ごとにタイマを減算し、０秒になるのをチェックする）でもよいし、規定時間が経過したかを判定する場合（たとえば０秒から加算し１５秒になるのをチェックする）のいずれであってもよい。また、何らかの入力があると、経過中のタイマはリセットされ、初期値（たとえば１５秒）にリセットされる。このようにすることで、パスワードの入力文字数が多い場合であっても、ユーザはゆっくりとパスワードを入力することができる。
【０２８１】
［第６の実施の形態］
第６の実施の形態においては、撮影システムにおいて、金銭などの対価の追加により付加的なサービス（付加プレイ）が可能となることを特徴としている。たとえば、ユーザは追加料金を各装置に投入することで、撮影ＢＯＸにおいては、撮影可能回数を増加させたり、撮影可能時間を延長させたり、記録媒体へ画像データを記録したり、発行する磁気カードの枚数を多くしたり、通信回線を利用した外部機器への画像データの送信などを行なうことができる。
【０２８２】
また、落書きＢＯＸにおいて追加料金が徴収されることで、画像入力の時間が延長されたり、印刷するシールの枚数が増加したり、画像に追加されるメッセージの入力が可能となったり、記録媒体への画像データの記録が可能になったり、記録媒体からの画像データの読込が可能になったり、通信回線を利用した外部機器への画像データの送信などが可能となる。
【０２８３】
さらに、落書きＢＯＸにおいては、画像の入力および撮影された画像と入力された画像とを合成してプリントする機能を、追加料金が支払われた場合にのみ許可するようにしてもよい。
【０２８４】
さらに、プリントを行なう装置において、プリンタが複数種類備わっている場合（図１５および図１６など参照）には、そのプリントされる印刷媒体（シールなど）の付加価値の高さ（たとえば金や銀を用いた印刷などは高い）により、追加料金を徴収するようにしてもよい。これらの付加的なサービスは１つでもよいし、それらを組合わせて実施するようにしてもよい。
【０２８５】
また、この付加的なサービスを提供するか否かの選択は、通常の装置の使用で必要とされる対価を投入する前に行なってもよいし、投入された後で行なうようにしてもよい。たとえば、ディスプレイに付加的なサービスをメニュー形式で（サービスの内容と金額とともに）一覧表示させ、ユーザがそれらの中から所望のものを選択するように装置を構成するとよい。選択できる付加的なサービスの数は１つでも複数でもよい。また、付加的なサービスを１つも選択しない場合のために、付加的なサービスを実施する／しないという選択画面を上述のメニュー形式の画面が表示される前に表示してもよい。また、メニュー形式の画面が表示される中でそのような選択を行なわせるようにしてもよい。また、選択された付加的なサービスがユーザにとって必要でなくなれば、キャンセルできるようにしてもよい。
【０２８６】
また、付加的なサービスの別の選択方法として、プレイ中の必要なときにユーザに問い掛けを行なうようにしてもよい。たとえば、撮影ＢＯＸで規定回数の撮影終了後、「１００円追加であと２回撮影できるよ」「する？」「しない？」などのメッセージを画面に表示することで、ユーザに選択を促してもよい。一方、落書きＢＯＸにおいては、規定時間の画像入力が終了した後、「１００円追加であと３０秒お絵描きできるよ」「する？」「しない？」などのメッセージを画面に表示することで、ユーザに入力を促す。
【０２８７】
このような方法を採用すると、プレイの結果を見てから付加的なサービスを要求するかしないかをユーザが選択できるので、ユーザに親切である。このように、付加的なサービスを提供することで、ユーザはより満足の得られるプレイを楽しむことができ、店舗もより収益を上げることが可能となる。
【０２８８】
［第７の実施の形態］
第７の実施の形態においては、撮影装置とプリント装置とが離れて構成された写真撮影システムにおいて、ファイルサーバからそのクライアントである撮影ＢＯＸおよび落書きＢＯＸの電源のオン／オフを可能としている。
【０２８９】
撮影システムのような遊戯機器を設置している店舗では、各遊戯機器の電源のオン／オフの操作を機器外部に備えられたメイン電源スイッチ、または店舗内の電源ブレーカで行なうことが多い。しかし、機器の内部にコンピュータ装置を備えている写真撮影システムにおいては、上述の方法のような電源操作でコンピュータ装置を強制終了させると、ハードウェアおよびソフトウェアが不安定となり、最悪の場合には機器が故障してしまう可能性がある。このため、図１に示したように、ＵＰＳ（無停電電源装置）を機器に設け、上述のような電源操作においても正常にコンピュータ装置を終了させることができるように装置を構成している。しかしながら、このＵＰＳは一般的には瞬電（一時的な停電）時のバックアップ電源として使用されるように設計されていることが多く、上記電源操作のような停電に耐えられるだけの寿命を考えて設計されていないことがある。
【０２９０】
たとえば、５０回の停電でＵＰＳ内部のバッテリが寿命になるように設計されている場合は、上述のような電源操作を行なえば、５０日間しか使用することができなくなり、バッテリ交換というランニングコストがかかってしまう。
【０２９１】
しかしながら、写真を撮影する装置とプリントを行なう装置とが分離された写真撮影システムのような、複数の機器で構成されるシステムのすべての機器のコンピュータ装置１台１台を手作業で正常に終了させることは手間がかかり非効率である。
【０２９２】
そこで本実施の形態においては、ＷＡＫＥ  ＯＮ  ＬＡＮ（ＷＯＬ）の技術を用い、システム全体の電源の操作を一度の操作で行なえるようにしている。
【０２９３】
ＷＯＬとは、ネットワークを経由して、コンピュータ装置の電源のオン／オフを操作する手法である。ＷＯＬを使うには、各装置（端末）のコンピュータ装置に備わっているマザーボード、電源、ＮＩＣ（Network Interface Card）などの周辺装置がＷＯＬ対応であることや、ＡＰＭ（Advanced Power Management）に対応できることなどが条件となる。電源の操作においては、具体的にはファイルサーバのコンピュータ装置から特定のパケットをクライアントの端末に送る処理が行なわれる。
【０２９４】
図５１は、本実施の形態におけるシステムの電源終了手続を説明するためのフローチャートである。
【０２９５】
まず、システムの管理者は、システム全体の電源をオフにするために、ファイルサーバに備えられた電源終了ボタンを押下する（Ｓ１）。ファイルサーバのコンピュータ装置は、上述の終了ボタンが押されたことを検出し、それを受付ける（Ｓ２）。
【０２９６】
ファイルサーバは、システム上のすべてのクライアント装置（撮影装置およびプリント装置など）に、上述した方法（パケット送信）で終了指示を送信する（Ｓ３）。終了指示を受付けたクライアント装置は、周辺機器の電源およびコンピュータ装置の電源をオフにする。
【０２９７】
一方、終了指示を送信したファイルサーバのコンピュータ装置は、すべてのクライアント装置が終了するまで監視を繰返す（Ｓ４）。監視の方法としては、たとえばＰＩＮＧ（インターネットの接続状況などを確認するためのＴＣＰ／ＩＰツール）などのコマンドを、所定間隔で各クライアントに送信し、タイムアウトエラーなどコマンドを受付けられなかった場合に、クライアント端末は電源オフとなっていると判断する。
【０２９８】
すべてのクライアント装置の電源オフが確認できた時点で、ファイルサーバの電源をオフとする（Ｓ５）。
【０２９９】
以上のようにして、本実施の形態においては一度の操作でシステム全体の電源をオフにすることができ、手間がかからず効果的である。なお、上述のフローチャートにおいては電源終了ボタンによりシステム全体の電源をオフにするようにしたが、ファイルサーバのコンピュータ装置が終了指示を受付けることが可能な方法であれば、これに限定されるものではない。たとえば、コンピュータ装置に備えられたキーボードなどの入力手段から電源オフの指示を受付けてもよいし、ファイルサーバのメイン電源をオフにすることで図５１のフローチャートに示される処理を行なうようにしてもよい。
【０３００】
また、クライアントの１台の電源がオフになったことで、図５１に示される処理を行ない、システム全体の電源をオフにするようにしてもよい。また、システム全体の電源をオンにするために、図５１に示される操作と逆の操作により、１つの電源スイッチによりシステム全体の電源をオンとするようにしてもよい。
【０３０１】
本実施の形態における手法を導入することで、システム全体の終了を安全かつ容易に行なうことができる。また、装置のメイン電源スイッチおよびブレーカを落とさずシステムの電源をオフにすることができるため、ＵＰＳのバッテリの寿命などの問題も解決される。
【０３０２】
［第８の実施の形態］
なお、上述の実施の形態において画像データなどのファイルを装置から装置へ転送する場合やコピーする場合などにおいて、そのファイルが完全に送られたかどうかを確認する手法として、ファイル内にチェックサムを設けることが考えられる。または、転送元のファイルと転送先のファイルとを比較（ベリファイ）することが考えられる。
【０３０３】
これらの方法を採用すると、完全にファイルの内容が一致しているかどうかを確認することができるが、ファイルの内容をすべて読出す必要があるため、処理に時間が必要となる。そこで、本実施の形態においてはこの課題を解決し、容易にファイルの転送の確認を行なうこととしている。
【０３０４】
具体的には、転送するファイルのサイズをそのファイル名の一部に付加し、ファイルを転送する。転送後にそのファイル名に表わされている数字（ファイルのサイズ）と、転送されたファイルの実際のサイズとを比較し、転送の確認を行なうものである。
【０３０５】
たとえば、転送するファイルのサイズが４０９６バイトの場合、ファイル名は「ABC.JPG.4096」とされる。
【０３０６】
この手法を採用することで、転送されたファイルのサイズが同じであることを確認することができるが、データ化けなどの確認はできないという課題はある。しかしながら、画像ファイルなどの一部データが化けても使用上大きく問題がないようなファイルの場合には、従来用いられた手法（チェックサムやベリファイなど）でファイル内容をすべて読出す処理が不要となり、処理時間を大幅に軽減できる効果がある。
【０３０７】
特に、上述の実施の形態のような撮影装置とプリント装置とが分離された写真撮影システムなどにおいては、大量の画像データを送受信する必要があるため、本実施の形態における処理は極めて有効である。
【０３０８】
なお、上述の説明においては、画像ファイルを転送する場合の有効性を説明したが、ファイルの種類は画像ファイルに限るものではなく、他の電子ファイルを移動または複写する場合にも本実施の形態における思想を採用することができる。
【０３０９】
また、写真撮影システムに本実施の形態における思想を採用するだけではなく、たとえばインターネットなどを用いたファイルの転送技術にも本実施の形態における思想を採用することができる。
【０３１０】
図５２は、インターネットなどの通信回線を用いたデータの転送システムの構成を示すブロック図である。図を参照して、インターネットなどのネットワークＮに、サーバＳＶ１および複数のパーソナルコンピュータＰＣ１〜ＰＣ４が接続されている。
【０３１１】
図５３は、サーバＳＶ１またはパーソナルコンピュータＰＣ１〜ＰＣ４のハードウェア構成を示すブロック図である。
【０３１２】
図を参照して、これらの装置は、装置全体の制御を行なうＣＰＵ９５１と、ハードディスクドライブ９５３と、ＲＡＭ９５５と、ＲＯＭ９５７と、キーボードやマウスなどにより構成される入力装置９５９と、ディスプレイ装置９６１と、ＬＡＮなどを介してインターネットや通信回線に接続を行なうためのＬＡＮカード９６３と、ＣＤ−ＲＯＭ、ＤＶＤ−ＲＯＭまたはフレキシブルディスクドライブなどにより構成される外部記憶装置９６５とを備えている。
【０３１３】
図５４は、図５２のシステムにおいて送信先のサーバまたはパーソナルコンピュータが実行する処理を示すフローチャートである。
【０３１４】
図を参照して、ステップＳ９０１で送信するファイルの選択がなされる。この選択は、具体的にはユーザがディスプレイに表示されているファイルのアイコンをマウスなどにより選択することで行なわれる。
【０３１５】
ステップＳ９０３で選択されたファイルの転送指示がなされたかが判定され、ＮＯであればステップＳ９１１で他の処理を行ない、ＹＥＳであればステップＳ９０５で選択されたファイルのファイルサイズを検出（測定）する。
【０３１６】
ステップＳ９０７で検出されたファイルサイズを選択されたファイルのファイル名に付加する。なお、ここではファイルサイズを付加するようにしたが、ファイルサイズそのものをファイル名とするようにしてもよい。
【０３１７】
ステップＳ９０９でファイル名の変更が行なわれた当該ファイルが送信先に送信される。
【０３１８】
図５５は、図５２のシステムにおける受信側のサーバまたはパーソナルコンピュータが行なう処理を示すフローチャートである。
【０３１９】
図を参照して、ステップＳ９３１でファイルを受信したのであればステップＳ９３３以降の処理を行ない、ファイルの受信が行なわれなければ、ステップＳ９４３で他の処理を行なう。
【０３２０】
ステップＳ９３３においては、受信されたファイルのファイルサイズを検出（測定）する処理が行なわれ、次にステップＳ９３５で受信されたファイルのファイル名に含まれるファイルサイズの情報（数字など）を抽出する。
【０３２１】
ステップＳ９３７で抽出されたファイルサイズと、検出されたファイルサイズとが一致するかが判定され、ＮＯであれば、ステップＳ９４５でエラー処理（たとえばエラーメッセージを出力する、またはファイルの再送を要求するなど）の処理が行なわれる。
【０３２２】
ファイルサイズが一致したのであれば、ステップＳ９３９でファイル名からファイルサイズを削除する処理が行なわれる。この処理により、図５４におけるファイルサイズが付加される前のファイル名への書き換えが行なわれる。
【０３２３】
ステップＳ９４１で当該ファイルがメモリに格納される。
上述のように、本実施の形態におけるシステムによると、簡単な処理によりファイルの転送が成功したか否かの処理を行なうことができる。特に、容量の大きい画像データ、音楽データなどを送信するときに本実施の形態における処理は有効である。
【０３２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の第１の実施の形態における撮影システムの構成を示す図である。
【図２】撮影ＢＯＸ（Ａ）の外観を示す図である。
【図３】カメラ本体２６０の斜視図である。
【図４】カメラ本体２６０の操作例を示す第１の斜視図である。
【図５】カメラ本体２６０の操作例を示す第２の斜視図である。
【図６】カメラ本体２６０の操作例を示す第３の斜視図である。
【図７】カメラ本体２６０の操作例を示す第４の斜視図である。
【図８】カメラ本体２６０のハードウェア構成を示すブロック図である。
【図９】撮影ＢＯＸ（Ａ）での処理を示すフローチャートである。
【図１０】図９に続くフローチャートである。
【図１１】撮影ＢＯＸ（Ｂ）の外観を示す図である。
【図１２】撮影ＢＯＸ（Ｂ）のカメラなどが設けられている部分の正面図である。
【図１３】撮影ＢＯＸ（Ｂ）のハードウェア構成を示すブロック図である。
【図１４】撮影ＢＯＸ（Ｂ）での処理を示すフローチャートである。
【図１５】落書きＢＯＸの外観を示す図である。
【図１６】落書きＢＯＸのハードウェア構成を示すブロック図である。
【図１７】プリンタ３５５ａの構成を示す図である。
【図１８】落書きＢＯＸで行なわれる処理を示すフローチャートである。
【図１９】図１８に続くフローチャートである。
【図２０】図１８のフローチャートの変形例を示すフローチャートである。
【図２１】ファイルサーバのハードウェア構成を示すブロック図である。
【図２２】撮影ＢＯＸ（Ａ）または（Ｂ）で行なわれる処理の変形例を示すフローチャートである。
【図２３】落書きＢＯＸで行なわれる処理の変形例を示すフローチャートである。
【図２４】図２３に続くフローチャートである。
【図２５】図２４のステップＳ６２５でプリントされる印刷媒体の具体例を示す平面図である。
【図２６】本発明の第２の実施の形態における撮影システムの構成を示す図である。
【図２７】撮影機の構成を示す図である。
【図２８】図２７の制御部の構成を示す図である。
【図２９】プリント機の外観を示す図である。
【図３０】プリント機の構成を示すブロック図である。
【図３１】表示機またはデータ入力機の構成を示すブロック図である。
【図３２】撮影システムの処理手順を示すフローチャートである。
【図３３】他の実施の形態における撮影システムの処理手順を示すフローチャートである。
【図３４】撮影機の他の構成を示す外観図である。
【図３５】プリント機の他の構成を示す外観図である。
【図３６】撮影機をユーザのパソコンとデジタルカメラとで構成した場合の処理手順を示すフローチャートである。
【図３７】第３の実施の形態における撮影システムの全体構成を示す図である。
【図３８】撮影機５０１の外観構成を示す図である。
【図３９】円筒形撮影機の構成を示す図である。
【図４０】データ入力機５０７の外観構成を示す図である。
【図４１】画像閲覧機５１３の外観を示す斜視図である。
【図４２】印刷機５１１の構成を示す斜視図である。
【図４３】持ち運び可能な画像入力機５１７の斜視図である。
【図４４】画像入力機５１５の構成を示す斜視図である。
【図４５】データ入力機の他の形態を示す図である。
【図４６】データ入力機の構成例を示す斜視図である。
【図４７】撮影ＢＯＸ（Ａ）の変形例を示す図である。
【図４８】本発明の第４の実施の形態における写真撮影システムの構成を示すブロック図である。
【図４９】第４の実施の形態におけるディスプレイに表示される画面の具体例を示す図である。
【図５０】第４の実施の形態におけるディスプレイに表示される画面の具体例を示す図である。
【図５１】本発明の第７の実施の形態における写真撮影システムでの電源終了手順を示すフローチャートである。
【図５２】本発明の第８の実施の形態におけるデータ転送システムの構成を示す図である。
【図５３】図５２のサーバまたはパーソナルコンピュータのハードウェア構成を示すブロック図である。
【図５４】第８の実施の形態における送信側の装置が行なう処理を示すフローチャートである。
【図５５】第８の実施の形態における受信側の装置が行なう処理を示すフローチャートである。
【符号の説明】
１００  サーバ、１０５  バーコードリーダ、１０７  通信部、１１１  入力部、１１３  タッチペン、１２３  プリンタ、１５１  外部サーバ、１５５  ファイルサーバ、１５９，１６１  撮影ＢＯＸ、２００  撮影機、２０３  バーコードリーダ、２０５  通信部、２５３  カメラ、２５５ａ  コイン検出部、２５５  コイン投入口、２６０  カメラ本体、２６５  バーコードプリンタ、２６７メディア書込部、２７５  ＬＡＮカード、３００  サーバ、３００ａ  マスタサーバ、３５５ａ  プリンタ、３５５ｂ  プリンタ、３５９  バーコードリーダ、３６１  メディア読取部、５０１，５０３  撮影機、５０５  円筒形撮影機、５０７，５０９，６００  データ入力機、５１１  印刷機、５１３  画像閲覧機、５１５，５１７  画像入力機、、５２１  サーバ、Ｐ  印刷媒体。
【図１】
0003540305.tif 000002
【図２】
0003540305.tif 000003
【図３】
0003540305.tif 000004
【図４】
0003540305.tif 000005
【図５】
0003540305.tif 000006
【図６】
0003540305.tif 000007
【図７】
0003540305.tif 000008
【図８】
0003540305.tif 000009
【図９】
0003540305.tif 000010
【図１０】
0003540305.tif 000011
【図１１】
0003540305.tif 000012
【図１２】
0003540305.tif 000013
【図１３】
0003540305.tif 000014
【図１４】
0003540305.tif 000015
【図１５】
0003540305.tif 000016
【図１６】
0003540305.tif 000017
【図１７】
0003540305.tif 000018
【図１８】
0003540305.tif 000019
【図１９】
0003540305.tif 000020
【図２０】
0003540305.tif 000021
【図２１】
0003540305.tif 000022
【図２２】
0003540305.tif 000023
【図２３】
0003540305.tif 000024
【図２４】
0003540305.tif 000025
【図２５】
0003540305.tif 000026
【図２６】
0003540305.tif 000027
【図２７】
0003540305.tif 000028
【図２８】
0003540305.tif 000029
【図２９】
0003540305.tif 000030
【図３０】
0003540305.tif 000031
【図３１】
0003540305.tif 000032
【図３２】
0003540305.tif 000033
【図３３】
0003540305.tif 000034
【図３４】
0003540305.tif 000035
【図３５】
0003540305.tif 000036
【図３６】
0003540305.tif 000037
【図３７】
0003540305.tif 000038
【図３８】
0003540305.tif 000039
【図３９】
0003540305.tif 000040
【図４０】
0003540305.tif 000041
【図４１】
0003540305.tif 000042
【図４２】
0003540305.tif 000043
【図４３】
0003540305.tif 000044
【図４４】
0003540305.tif 000045
【図４５】
0003540305.tif 000046
【図４６】
0003540305.tif 000047
【図４７】
0003540305.tif 000048
【図４８】
0003540305.tif 000049
【図４９】
0003540305.tif 000050
【図５０】
0003540305.tif 000051
【図５１】
0003540305.tif 000052
【図５２】
0003540305.tif 000053
【図５３】
0003540305.tif 000054
【図５４】
0003540305.tif 000055
【図５５】
0003540305.tif 000056